(57)【要約】  金属からなり、周縁部に少なくとも１つの切り欠き部（３０１ａ）と、該切り欠き部（３０１ａ）によって周縁部から側方に突き出す突き出し部（３０１ｃ）とを有するダイパッド（３０１）と、端部にボンディングパッド（３０２ａ）を有し、該ボンディングパッド（３０２ａ）がダイパッド（３０１）と間隔をおいて切り欠き部（３０１ａ）に配置されたインナリード（３０２）と、ダイパッド（３０１）の上に、中心位置がダイパッド（３０１）の中心位置よりも突き出し部（３０１ｃ）側に位置するように保持された半導体チップ（３１０）と、該半導体チップ（３１０）とボンディングパッド（３０２ａ）とを電気的に接続するワイヤ（３１１）とを備えている。
2012120568.tif 000002
【特許請求の範囲】
【請求項１】
金属からなり、周縁部に少なくとも１つの切り欠き部と、該切り欠き部によって周縁部から側方に突き出す突き出し部とを有するダイパッドと、
端部にボンディングパッドを有し、該ボンディングパッドが前記ダイパッドと間隔をおいて前記切り欠き部に配置された第１のインナリードと、
前記ダイパッドの上に、中心位置が前記ダイパッドの中心位置よりも前記突き出し部側に位置するように保持された半導体チップと、
前記半導体チップと前記ボンディングパッドとを電気的に接続するワイヤとを備えている半導体装置。
【請求項２】
請求項１において、
前記ボンディングパッドは、前記ダイパッドの側面に沿い且つ間隔をおいて延びる延長部を有している半導体装置。
【請求項３】
請求項２において、
前記延長部は、前記ダイパッドの側面の一部と電気的に接続されている半導体装置。
【請求項４】
請求項２において、
前記ダイパッドは、接地電位が印加され、
前記延長部と前記ダイパッドの側面とによって容量素子部が形成されている半導体装置。
【請求項５】
請求項２において、
前記延長部は、前記ダイパッドとワイヤによって電気的に接続されている半導体装置。
【請求項６】
請求項２において、
前記半導体チップ、ダイパッド及び第１のインナリードを封止する封止樹脂材をさらに備え、
前記ダイパッドにおける前記半導体チップの保持面と反対側の面の少なくとも一部は、前記封止樹脂材から露出しており、
前記延長部は、前記封止樹脂材から露出するように形成された突起部を有している半導体装置。
【請求項７】
請求項１において、
前記第１のリードと並行して配置され、前記ダイパッドの側面と間隔をおいて延びる第２のリードをさらに備え、
前記第２のリードは、前記ボンディングパッドとワイヤによって電気的に接続されている半導体装置。
【請求項８】
請求項１において、
前記第１のリードと並行して配置され、前記ダイパッドの側面と間隔をおいて延びる第２のリードと、
前記半導体チップ、ダイパッド、第１のインナリード及び第２のリードを封止する封止樹脂材とをさらに備え、
前記第２のリードは、前記ボンディングパッドとワイヤによって電気的に接続されており、
前記ダイパッドにおける前記半導体チップの保持面と反対側の面の少なくとも一部は、前記封止樹脂材から露出しており、
前記第２のリードは、前記封止樹脂材から露出するように形成された突起部を有している半導体装置。
【請求項９】
請求項１〜８のいずれか１項において、
前記ダイパッドの上面と前記ボンディングパッドの上面とは、前記ダイパッドの下面からの高さが同一であり、
前記ダイパッドの厚さは、前記インナリードの厚さよりも厚い半導体装置。
【請求項１０】
請求項１〜８のいずれか１項において、
前記ボンディングパッドの上面は、前記ダイパッドの上面よりも高く、
前記ダイパッドの厚さは、前記インナリードの厚さと同等である半導体装置。
【請求項１１】
請求項１〜１０のいずれか１項において、
前記切り欠き部の平面形状は、四角形の二辺、三角形の一辺、凹状の円弧、又は凸状の円弧である半導体装置。
【請求項１２】
金属からなるダイパッドと、
端部にボンディングパッドを有し、該ボンディングパッドが前記ダイパッドの上方に間隔をおいて前記ダイパッドの一部と重なるように配置された第１のインナリードと、
前記ダイパッドの上に、中心位置が前記ダイパッドの中心位置よりも前記ボンディングパッド側に位置するように保持された半導体チップと、
前記半導体チップと前記ボンディングパッドとを電気的に接続するワイヤとを備えている半導体装置。
【請求項１３】
請求項１２において、
前記ボンディングパッドは、前記ダイパッドの側面に沿い且つ間隔をおいて延びる延長部を有している半導体装置。
【請求項１４】
請求項１３において、
前記延長部は、前記ダイパッドとワイヤによって電気的に接続されている半導体装置。
【請求項１５】
請求項１２において、
前記第１のリードと並行して配置され、前記ダイパッドの側面と間隔をおいて延びる第２のリードをさらに備え、
前記第２のリードは、前記ボンディングパッドとワイヤによって電気的に接続されている半導体装置。
【請求項１６】
請求項１５において、
前記第２のリードは、前記ダイパッドとワイヤによって電気的に接続されている半導体装置。
【発明の詳細な説明】
【技術分野】
【０００１】
本発明は、マイクロ波帯で用いられる樹脂封止パッケージ用リードフレームを用いた半導体装置に関し、特に、電力増幅器に適用可能な半導体装置に関する。
【背景技術】
【０００２】
マイクロ波帯高出力電力増幅器は、高性能化と低コスト化とを両立できるデバイスが求められている。高出力電力増幅器に用いられるトランジスタは、電界効果型トランジスタの場合に、一般にゲート幅を大きくするため、高周波的な入出力インピーダンスが低くなる傾向にある。実抵抗値として、２Ωから３Ω又はそれ以下となる。【０００３】
通信機器等のセット内の高周波回路部においては、標準インピーダンスが５０Ωであるため、高出力電力増幅器の入出力端子も５０Ωに整合させる必要がある。トランジスタの入出力端子における低いインピーダンスを５０Ωにインピーダンス変換する場合は、構成するインピーダンス変換回路によって、低いインピーダンスに起因する高周波損失が生じないように留意する必要がある。【０００４】
図３２（ａ）は、トランジスタの入力インピーダンス点から５０Ω整合するためのインピーダンス変換経路と構成素子とをスミスチャートに表している。トランジスタの入力インピーダンス点を始点として、直列インダクタ素子及び並列キャパシタ素子の順に接続し、各素子のインピーダンス値を適切に選択することにより、５０Ωに変換することができる。しかしながら、図３２（ｂ）に示すように、インダクタンス値が大きすぎる場合、又はキャパシタンス値が小さすぎる若しくは大きすぎる場合は、所定の５０Ωの点から離れてしまい、インピーダンスの不整合状態となる。【０００５】
図３３（ａ）に示すように、一般に、パッケージ１０の内部において、トランジスタ１を含む半導体チップとリード２との接続にはボンディング用ワイヤ３が用いられる。リード２及びボンディング用ワイヤ３は、直列インダクタンス成分と並列キャパシタンス成分から構成される等価回路で表される。この場合、パッケージ１０の外部のボード上に入出力を併せて５０Ω整合となるように整合回路１１をそれぞれ設ける。【０００６】
上述したように、トランジスタ１の入出力のインピーダンスが低い場合、ワイヤ３が長くなると、ワイヤ３自体の高周波損失が無視できなくなり、損失による利得低下の要因となる。通常、図３３（ｂ）に示すように、５０Ω整合する際には、インピーダンスの実抵抗成分を高くするために、トランジスタ１の入出力端子の近傍にプリマッチング機能を有するプリマッチング回路５を接続する。プリマッチング回路５により、インピーダンスを高く変換することにより生じる電力損失を極力抑制している。プリマッチング回路５は、トランジスタ１が形成される半導体チップ上に一体化して形成するＭＭＩＣ（monolithic microwave integrated circuit）、又は別の半導体チップに形成してワイヤ接続するハイブリッド構成が用いられる。【０００７】
なお、製造コストの観点からは、ＭＭＩＣ及びハイブリッド構成を用いることなく、高性能化を実現できることが望ましい。【０００８】
一般に、高出力電力増幅器用パッケージには、セラミックからなるパッケージが用いられるが、高周波特性及び放熱特性は優れるものの高価である。従って、低コスト化を図るには、高出力電力増幅器の出力電力レベル、効率等の仕様により制限は受けるものの、熱抵抗を含めて放熱特性として許容できる範囲で、樹脂封止パッケージを用いることが好ましい。【０００９】
以下、第１の従来例及び第２の従来例に係る半導体装置について図３４（ａ）及び図３４（ｂ）を参照しながら説明する（例えば、引用文献１、２を参照。）。【００１０】
図３４（ａ）に示すように、第１の従来例に係る半導体装置は、ダイパッド１０４及び複数の端子リード１１０〜１１８を有するリードフレーム１０２と、ダイパッド１０４の上に固着されたデバイス１０１とを有している。各端子リード１１０〜１１８の端部に設けられたボンドパッド１１０ａ〜１１８ａは、ダイパッド１０４の下端部と隣接して、デバイスパッケージの底部を横切るように配列されている。デバイス１０１のソース電極２３、ドレイン電極２２及びゲート電極２０は、各電極のランナーからボンドパッド１１０ａ、１１２ａ等に延びる複数のワイヤボンド１２０、１２１等を通して端子リードと電気的な接続がなされている。【００１１】
また、図３４（ｂ）に示すように、第２の従来例に係る半導体装置は、ダイパッド２０４及び複数の端子リード２１０〜２１４を有するリードフレーム２０２と、ダイパッド２０４の上に固着されたデバイス２０１とを有している。デバイス２０１が有する細長い電力電極２５、２６とワイヤボンド２２０、２２２等によってそれぞれ接続されたボンドパッド２１０ａ、２１４ａは、ダイパッド２０４の対向する周辺縁（側面）と隣接して延びるように配置されている。すなわち、ボンドパッド２１０ａ、２１４ａは、デバイス２０１の電力電極２５、２６の長手方向に平行に且つ隣接して延びるように配置されている。【００１２】
この構成により、第１の電力電極２５とボンドパッド２１０ａとを接続する複数のワイヤボンド２２０と、第２の電力電極２６とボンドパッド２１４ａとを接続する複数のワイヤボンド２２２とは、各電力電極２５、２６及びボンドパッド２１０ａ、２１４ａに沿って、ほぼ平行に且つほぼ同じ長さ配置されている。【００１３】
次に、第３の従来例に係る半導体装置について図３５を参照しながら説明する（例えば、引用文献９を参照。）。【００１４】
図３５（ａ）〜図３５（ｃ）に示すように、リードフレームは、厚板部からなるダイパッド部１１及び放熱板１２と、それぞれ薄板部からなるフレーム枠部、吊りリード部１４、外部接続リード部１５及びタイバー部とを有している。吊りリード部１４は、ダイパッド部１１の上部と接続され、ダイパッド部１１側の端部にくちばし状の曲げ加工が施されることにより、吊りリード部１４の上面の一部がダイパッド部１１の上側に位置する領域として熱伝導領域１４ｂが設けられている。【００１５】
熱伝導領域１４ｂを含む曲げ加工部は、吊りリード部１４のフレーム枠部側がダイパッド部１１の上面よりも上側に位置するように、且つダイパッド部１１の上面に対して平行な方向に延びるように曲げられている。これにより、ダイパッド部１１とフレーム枠部との距離が短縮され、フレーム枠部及びタイバー部により吊りリード部１４と接続された外部接続リード部１５は、ダイパッド部１１側の端部がダイパッド部１１の上側に張り出すオーバハング構造を採る。その結果、外部接続リード部１５のダイパッド部１１側の端部は、半導体チップ２１と接続されるインナリード部１５ａとなり、フレーム枠部側の端部は、実装基板と接続されるアウタリード部１５ｂとなる。【００１６】
このように、外部接続リード部１５のダイパッド部１１側の端部がダイパッド部１１の上側に張り出すことにより、半導体チップ２１との距離を短くできる。【００１７】
ダイパッド部１１の上面には、半導体チップ２１が固着されており、図３５（ｃ）に示すように、半導体チップ２１の複数の素子電極（図示せず）は、金属細線２２を介してインナリード部１５ａと接続されている。【００１８】
また、図３５（ｂ）に示すように、吊りリード部１４は、金属細線２２を介して半導体チップ２１と接続されており、半導体チップ２１に接地電位が供給される。【００１９】
さらに、ダイパッド部１１及び半導体チップ２１は、樹脂封止部２３により一体に封止されている。
【先行技術文献】
【特許文献】
【００２０】
【特許文献１】特表２００８−５４１４３５号公報（第２図、第３図）
【特許文献２】米国特許第７３７５４２４号明細書（第２図、第３図）
【特許文献３】特開昭６３−２０２０４９号公報（第５図）
【特許文献４】特開平１−２０５４５３号公報（第４図）
【特許文献５】特開平４−３２００５４号公報（第１図、第３図）
【特許文献６】特開平１１−２６０９９２号公報（第４図）
【特許文献７】特開平１１−３３０３１３号公報（第１５図）
【特許文献８】特開２００２−２０３９５７号公報（第３図）
【特許文献９】特開２００４−１１９６１０号公報（第１０図）
【特許文献１０】特開平６−１６３７８６号公報（第１図）
【発明の概要】
【発明が解決しようとする課題】
【００２１】
しかしながら、前記各従来例には、以下のような問題がある。【００２２】
まず、図３４（ａ）に示すリードフレーム及びそれを用いた高周波用途の第１の従来例に係る半導体装置は、高出力電力増幅器用高周波トランジスタのインピーダンスが一般に低いことから、図３４（ａ）に示すパッケージに高周波トランジスタを実装した場合は、デバイスの各電極から各リードの端部に設けられたボンドパッドへのワイヤが長くなる。このため、端子リード自体の寄生インダクタンス成分が大きくなる。その結果、アウタリードの端部でのインピーダンスは、低インピーダンスのままで高インピーダンス側に変換されないため、５０Ω整合することが困難となる。従って、デバイスの端部（外部端子）からアウタリードの端部までの高周波損失が大きくなってしまうので、高出力電力増幅器としての高周波性能が劣化、すなわち利得が低下してしまう。【００２３】
また、図３４（ｂ）に示すリードフレーム及びそれを用いた高周波用途の第２の従来例に係る半導体装置は、ダイパッドの対向する周辺縁にまでボンドパッドが延長され、ワイヤボンドが電極及びボンドパッドに沿って、ほぼ平行に配置される。その上、リードの長手方向にほぼ等間隔でワイヤが接続されるため、デバイスが高周波信号を伝送するという観点からは、デバイスの入力端子である各電極に給電される高周波信号の位相が、各電極で異なった状態で高周波信号が増幅されることになる。さらに、デバイスの出力端子である各電極から出力された高周波信号がボンドパッドから出力される際に、位相が異なった高周波信号が重畳されることになる。これにより、高出力電力増幅器として、出力電力及び利得が低下し、高周波性能が劣化してしまう。【００２４】
また、ダイパッドの周辺縁にまで延びるボンドパッドにワイヤを接続することから、インナリード部に最短距離でワイヤが接続されたとしても、インナリード部へのワイヤ接続点からアウタリードの端部までの距離が長くなってしまう。その結果、寄生インダクタンス成分が大きくなるため、アウタリードの端部でのインピーダンスは、低インピーダンスのままであり、５０Ω整合が困難である。【００２５】
図３４（ｂ）のように、ダイパッドの近傍にボンドパッドを配置する構成を記載する特許文献３の第５図、特許文献４の第４図、特許文献５の第１図及び第３図、特許文献６の第４図、特許文献７の第１５図並びに特許文献８の第３図においても、ボンドパッドとデバイス（半導体チップ）とを接続するワイヤの長さが短縮されても、インナリード部の長さが長くなることから、５０Ω整合は困難である。【００２６】
次に、図３５（ａ）〜図３５（ｃ）に示すリードフレーム及びそれを用いた高周波用途の第３の従来例に係る半導体装置は、インナリード部とダイパッド部の上面との間に、半導体チップが挟み込まれる形態である。このように、半導体チップがインナリード部とダイパッド部との間に挟み込むという実装方法は、通常のダイボンディング法では困難である。さらに、インナリード部に高周波信号を伝送する場合に、該高周波信号の基準電位は、接地電位となるダイパッド部の上面となるため、半導体チップが上記のように挟み込まれると、誘電体部が挿入されることによる高周波信号波形に乱れが生じてしまう。従って、樹脂封止後のパッケージ品として、半導体チップに対する高周波信号のインピーダンス整合に影響を与えるため、低インピーダンスから高インピーダンス側へのインピーダンス変換による５０Ω整合が困難となる。その上、誘電体部による高周波的な損失が生じ、半導体チップからアウタリード部までの高周波損失が大きくなってしまい、高出力電力増幅器として、高周波性能が劣化、すなわち利得が低下してしまう。【００２７】
なお、特許文献１０の第１０図には、半導体チップの搭載位置が示されていない。【００２８】
本発明は、前記の問題を解決し、高出力化及び高利得動作が可能な電力増幅器を有する半導体装置を実現できるようにすることを目的とする。
【課題を解決するための手段】
【００２９】
前記の目的を達成するため、本発明は、半導体チップを保持するダイパッドに切り欠き部を設け、設けた切り欠き部にインナーリードの端部であるボンディングパッドを配置する構成とする。また、他の構成として、インナーリードの端部であるボンディングパッドを、半導体チップの上方ではなく、ダイパッドの上方に重なるように配置する構成とする。【００３０】
具体的に、本発明に係る第１の半導体装置は、金属からなり、周縁部に少なくとも１つの切り欠き部と、該切り欠き部によって周縁部から側方に突き出す突き出し部とを有するダイパッドと、端部にボンディングパッドを有し、該ボンディングパッドがダイパッドと間隔をおいて切り欠き部に配置された第１のインナリードと、ダイパッドの上に、中心位置がダイパッドの中心位置よりも突き出し部側に位置するように保持された半導体チップと、半導体チップとボンディングパッドとを電気的に接続するワイヤとを備えている。【００３１】
第１の半導体装置によると、周縁部に少なくとも１つの切り欠き部と該切り欠き部によって周縁部から側方に突き出す突き出し部とを有するダイパッドと、端部にボンディングパッドを有し、該ボンディングパッドがダイパッドと間隔をおいて切り欠き部に配置された第１のインナリードとを備えているため、半導体チップの各電極から第１のインナーリードのボンディングパッドへのワイヤ長が短くなる。このため、第１のインナリード自体の寄生インダクタンス成分を小さくすることができる。その結果、アウタリードの端部でのインピーダンスを５０Ω整合することができるので、高出力及び高利得動作が可能な電力増幅器を得ることができる。【００３２】
第１の半導体装置において、ボンディングパッドは、ダイパッドの側面に沿い且つ間隔をおいて延びる延長部を有していてもよい。
このようにすると、延長部を先端開放型のスタブ（オープンスタブ）として機能させることができる。【００３３】
この場合に、延長部は、ダイパッドの側面の一部と電気的に接続されていてもよい。【００３４】
また、この場合に、ダイパッドは、接地電位が印加され、延長部とダイパッドの側面とによって容量素子部が形成されていてもよい。【００３５】
また、この場合に、延長部は、ダイパッドとワイヤによって電気的に接続されていてもよい。【００３６】
このようにすると、延長部を先端短絡型のスタブ（ショートスタブ）として機能させることができる。【００３７】
また、この場合に、半導体装置は、半導体チップ、ダイパッド及び第１のインナリードを封止する封止樹脂材をさらに備え、ダイパッドにおける半導体チップの保持面と反対側の面の少なくとも一部は、封止樹脂材から露出しており、延長部は、封止樹脂材から露出するように形成された突起部を有していてもよい。【００３８】
第１の半導体装置は、第１のリードと並行して配置され、ダイパッドの側面と間隔をおいて延びる第２のリードをさらに備え、第２のリードは、ボンディングパッドとワイヤによって電気的に接続されていてもよい。【００３９】
このようにすると、第２のリードを先端開放型のスタブ（オープンスタブ）として機能させることができる。【００４０】
また、第１の半導体装置は、第１のリードと並行して配置され、ダイパッドの側面と間隔をおいて延びる第２のリードと、半導体チップ、ダイパッド、第１のインナリード及び第２のリードを封止する封止樹脂材とをさらに備え、第２のリードは、ボンディングパッドとワイヤによって電気的に接続されており、ダイパッドにおける半導体チップの保持面と反対側の面の少なくとも一部は、封止樹脂材から露出しており、第２のリードは、封止樹脂材から露出するように形成された突起部を有していてもよい。【００４１】
このようにすると、第２のリードを先端短絡型のスタブ（ショートスタブ）として機能させることができる。【００４２】
第１の半導体装置において、ダイパッドの上面とボンディングパッドの上面とは、ダイパッドの下面からの高さが同一であり、ダイパッドの厚さは、インナリードの厚さよりも厚くてもよい。【００４３】
また、第１の半導体装置において、ボンディングパッドの上面は、ダイパッドの上面よりも高く、ダイパッドの厚さは、インナリードの厚さと同等であってもよい。【００４４】
また、第１の半導体装置において、切り欠き部の平面形状は、四角形の二辺、三角形の一辺、凹状の円弧、又は凸状の円弧であってもよい。【００４５】
本発明に係る第２の半導体装置は、金属からなるダイパッドと、端部にボンディングパッドを有し、該ボンディングパッドがダイパッドの上方に間隔をおいてダイパッドの一部と重なるように配置された第１のインナリードと、ダイパッドの上に、中心位置がダイパッドの中心位置よりもボンディングパッド側に位置するように保持された半導体チップと、半導体チップとボンディングパッドとを電気的に接続するワイヤとを備えている。【００４６】
第２の半導体装置によると、金属からなるダイパッドと、端部にボンディングパッドを有し、該ボンディングパッドがダイパッドの上方に間隔をおいてダイパッドの一部と重なるように配置された第１のインナリードとを備えているため、半導体チップの各電極から第１のインナーリードのボンディングパッドへのワイヤ長が短くなる。このため、第１のインナリード自体の寄生インダクタンス成分を小さくすることができる。その結果、アウタリードの端部でのインピーダンスを５０Ω整合することができるので、高出力及び高利得動作が可能な電力増幅器を得ることができる。【００４７】
第２の半導体装置において、ボンディングパッドは、ダイパッドの側面に沿い且つ間隔をおいて延びる延長部を有していてもよい。【００４８】
このようにすると、延長部を先端開放型のスタブ（オープンスタブ）として機能させることができる。【００４９】
この場合に、延長部は、ダイパッドとワイヤによって電気的に接続されていてもよい。【００５０】
このようにすると、延長部を先端短絡型のスタブ（ショートスタブ）として機能させることができる。【００５１】
第２の半導体装置は、第１のリードと並行して配置され、ダイパッドの側面と間隔をおいて延びる第２のリードをさらに備え、第２のリードは、ボンディングパッドとワイヤによって電気的に接続されていてもよい。【００５２】
このようにすると、第２のリードを先端開放型のスタブ（オープンスタブ）として機能させることができる。【００５３】
この場合に、第２のリードは、ダイパッドとワイヤによって電気的に接続されていてもよい。【００５４】
このようにすると、第２のリードを先端短絡型のスタブ（ショートスタブ）として機能させることができる。
【発明の効果】
【００５５】
本発明に係る半導体装置によると、高出力化及び高利得動作が可能な、マイクロ波帯及びミリ波帯の電力増幅器を有する半導体装置を実現することができる。
【図面の簡単な説明】
【００５６】
【図１】図１（ａ）は本発明の第１の実施形態に係る樹脂封止前の半導体装置を示す斜視図である。図１（ｂ）は図１（ａ）の側面図及び平面図である。
【図２】図２（ａ）及び図２（ｂ）は本発明の第１の実施形態に係る半導体チップにおけるトランジスタを構成する真性領域及び各ワイヤボンディング用パッドの配置図である。図２（ｃ）は真性領域におけるゲート等のユニット構造を示す模式図である。
【図３】図３（ａ）〜図３（ｄ）は本発明の第１の実施形態に係る半導体装置を構成するリードフレームの製造方法の一例を示す工程順の側面図及び平面図である。
【図４】図４は本発明の第１の実施形態の第１変形例に係る樹脂封止前の半導体装置を示す側面図及び平面図である。
【図５】図５は本発明の第１の実施形態の第２変形例に係る樹脂封止前の半導体装置を示す側面図及び平面図である。
【図６】図６は本発明の第１の実施形態の第３変形例に係る樹脂封止前の半導体装置を示す側面図及び平面図である。
【図７】図７は本発明の第１の実施形態の第４変形例に係る樹脂封止前の半導体装置を示す側面図及び平面図である。
【図８】図８（ａ）は本発明の第１の実施形態の第５変形例に係る樹脂封止前の半導体装置を示す斜視図である。図８（ｂ）は図８（ａ）の側面図及び平面図である。
【図９】図９（ａ）は本発明の第１の実施形態の第６変形例に係る樹脂封止前の半導体装置を示す斜視図である。図９（ｂ）は図９（ａ）の側面図及び平面図である。
【図１０】図１０（ａ）は本発明の第１の実施形態の第７変形例に係る樹脂封止前の半導体装置を示す斜視図である。図１０（ｂ）は図１０（ａ）の側面図及び平面図である。
【図１１】図１１は本発明の第１の実施形態の第８変形例に係る樹脂封止前の半導体装置を示す側面図及び平面図である。
【図１２】図１２（ａ）は本発明の第２の実施形態に係る樹脂封止前の半導体装置を示す斜視図である。図１２（ｂ）は図１２（ａ）の側面図及び平面図である。
【図１３】図１３（ａ）はスミスチャート上でのインピーダンスの軌跡を説明する図である。図１３（ｂ）及び図１３（ｃ）はアドミタンスチャート上でのインピーダンスの軌跡を説明する図である。
【図１４】図１４は本発明の第２の実施形態の第１変形例に係る樹脂封止前の半導体装置を示す側面図及び平面図である。
【図１５】図１５は本発明の第２の実施形態の第２変形例に係る樹脂封止前の半導体装置を示す側面図及び平面図である。
【図１６】図１６（ａ）は本発明の第２の実施形態の第３変形例に係る樹脂封止前の半導体装置を示す斜視図である。図１６（ｂ）は図１６（ａ）の側面図及び平面図である。
【図１７】図１７（ａ）は本発明の第３の実施形態に係る樹脂封止前の半導体装置を示す斜視図である。図１７（ｂ）は図１７（ａ）の側面図及び平面図である。
【図１８】図１８（ａ）及び図１８（ｂ）は本発明の第３の実施形態に係る半導体チップにおけるトランジスタを構成する真性領域及び各ワイヤボンディング用パッドの配置図である。
【図１９】図１９（ａ）は本発明の第３の実施形態の第１変形例に係る樹脂封止前の半導体装置を示す斜視図である。図１９（ｂ）は図１９（ａ）の側面図及び平面図である。
【図２０】図２０は本発明の第３の実施形態の第２変形例に係る樹脂封止前の半導体装置を示す側面図及び平面図である。
【図２１】図２１は本発明の第３の実施形態の第３変形例に係る樹脂封止前の半導体装置を示す側面図及び平面図である。
【図２２】図２２（ａ）は本発明の第３の実施形態の第４変形例に係る樹脂封止前の半導体装置を示す斜視図である。図２２（ｂ）は図２２（ａ）の側面図及び平面図である。
【図２３】図２３は本発明の第３の実施形態の第５変形例に係る樹脂封止前の半導体装置を示す側面図及び平面図である。
【図２４】図２４は本発明の第３の実施形態の第６変形例に係る樹脂封止前の半導体装置を示す側面図及び平面図である。
【図２５】図２５（ａ）は本発明の第３の実施形態の第７変形例に係る樹脂封止前の半導体装置を示す斜視図である。図２５（ｂ）は図２５（ａ）の側面図及び平面図である。
【図２６】図２６（ａ）は本発明の第４の実施形態に係る樹脂封止前の半導体装置を示す斜視図である。図２６（ｂ）は図２６（ａ）の側面図及び平面図である。
【図２７】図２７（ａ）〜図２７（ｄ）は本発明の第４の実施形態に係る半導体装置を構成するリードフレームの製造方法の一例を示す工程順の側面図及び平面図である。
【図２８】図２８（ａ）は本発明の第４の実施形態の第１変形例に係る樹脂封止前の半導体装置を示す斜視図である。図２８（ｂ）は図２８（ａ）の側面図及び平面図である。
【図２９】図２９（ａ）は本発明の第４の実施形態の第２変形例に係る樹脂封止前の半導体装置を示す斜視図である。図２９（ｂ）は図２９（ａ）の側面図及び平面図である。
【図３０】図３０（ａ）は本発明の第４の実施形態の第３変形例に係る樹脂封止前の半導体装置を示す斜視図である。図３０（ｂ）は図３０（ａ）の側面図及び平面図である。
【図３１】図３１（ａ）は本発明の第４の実施形態の第４変形例に係る樹脂封止前の半導体装置を示す斜視図である。図３１（ｂ）は図３１（ａ）の側面図及び平面図である。
【図３２】図３２（ａ）及び図３２（ｂ）はトランジスタのインピーダンスの５０Ω整合について説明する図である。
【図３３】図３３（ａ）は樹脂封止パッケージにおけるリード及びワイヤを等価回路表示した模式的な回路図である。図３３（ｂ）は樹脂封止パッケージにおけるプリマッチング回路を示す模式的な回路図である。
【図３４】図３４（ａ）及び図３４（ｂ）は第１の従来例及び第２の従来例に係る半導体装置を示す平面図である。
【図３５】図３５（ａ）〜図３５（ｃ）は第３の従来例に係る半導体装置を示し、図３５（ａ）は平面図であり、図３５（ｂ）及び図３５（ｃ）はそれぞれ図３５（ａ ）のＸｂ−Ｘｂ線及びＸｃ−Ｘｃにおける断面図である。
【発明を実施するための形態】
【００５７】
（第１の実施形態）
本発明の第１の実施形態に係る半導体装置について図１（ａ）及び図１（ｂ）を参照しながら説明する。
【００５８】
図１（ａ）に示すように、第１の実施形態に係る半導体装置は、例えば高周波デバイスを有する半導体チップ３１０をリードフレームに保持する樹脂封止型パッケージの形態を採る。なお、図１においては、さらに、後述する実施形態においては、いずれも封止樹脂材を省略している。
【００５９】
第１の実施形態に係るリードフレームは、厚さが１ｍｍ〜２ｍｍ程度の厚板部と、厚さが０．４ｍｍ〜０．５ｍｍ程度の薄板部とを有し、銅（Ｃｕ）を主成分とした異形材フレームとして構成されている。
【００６０】
半導体チップ３１０をダイボンディング材により上面に保持するダイパッド３０１は厚板部に形成され、第１のインナリード３０２、第２のインナリード３０３及び吊りリード３０４は薄板部に形成される。第１のインナリード３０２及び第２のインナリード３０３におけるダイパッド３０１側の各端部には、第１のボンディングパッド３０２ａ及び第２のボンディングパッド３０３ａが設けられている。
【００６１】
第１の実施形態の特徴として、ダイパッド３０１には、各ボンディングパッド３０２ａ、３０３ａが、例えば０．４ｍｍ〜０．５ｍｍ程度の間隔を保持してそれぞれ配置される切り欠き部３０１ａ、３０１ｂが形成されている。この２つの切り欠き部３０１ａ、３０１ｂによって、ダイパッド３０１における吊りリード３０４と半導体チップ３１０との間の部分は、突き出し部３０１ｃが形成される。
【００６２】
各切り欠き部３０１ａ、３０１ｂは、ダイパッド３０１を主面の表裏方向に打ち抜くように形成されており、その平面形状は長方形状である。なお、各切り欠き部３０１ａ、３０１ｂの平面形状は、同一の形状に限られず、互いに異なっていてもよい。
【００６３】
第１のインナリード３０２、第２のインナリード３０３及び吊りリード３０４は、それぞれ金型によるプレス加工により形成された曲げ加工部３０５を有している。なお、曲げ加工部３０５は、該半導体装置を組み込むシステム又はセット内の高周波回路部におけるボード上への実装形態に応じて形成されるため、必ずしも設ける必要はない。
【００６４】
第１のインナリード３０２の第１のボンディングパッド３０２ａ及び第２のインナリード３０３の第２のボンディングパッド３０３ａは、各上面がダイパッド３０１の上面とほぼ同一の高さとなるように配置されている。また、第１のボンディングパッド３０２ａ及び第２のボンディングパッド３０３ａは、第１のインナリード３０２及び第２のインナリード３０３のそれぞれの幅よりも大きくなるように形成されている。このように、各ボンディングパッド３０２ａ、３０３ａを幅広とする構成により、図１（ｂ）に示す樹脂封止領域３１３を封止樹脂材によって封止した後に、各インナリード３０２ａ、３０３ａが封止樹脂材の外部に脱落することを防止できる。
【００６５】
後述する半導体チップ３１０の上面に形成されたワイヤボンディング用パッドは、第１のインナリード３０２及び第２のインナリード３０３の各ボンディングパッド３０２ａ、３０３ａと第１のワイヤ（金属細線）３１１及び第２のワイヤ（金属細線）３１２によってそれぞれ電気的に接続される。ここで、ワイヤ３１１、３１２同士の長さはほぼ同等である。
【００６６】
半導体チップ３１０のダイパッド３０１上におけるダイボンド位置は、ワイヤ３１１、３１２の長さを短くしたい場合、又は複数本のワイヤの長さを同等にしたい場合に対応して任意の位置でよい。但し、いずれの場合も、ダイボンド位置は、半導体チップ３１０の中心位置がダイパッド３０１の中心位置よりも突き出し部３０１ｃ側に位置するようにする。さらには、半導体チップ３１０の少なくとも一部が、突き出し部３０１ｃの上に位置するようにする。
【００６７】
半導体チップ３１０をダイパッド３０１上に固着するダイボンディング材には、小信号デバイスの場合は、銀ペースト材等を用い、パワーデバイスの場合は、半田材として金（Ａｕ）／錫（Ｓｎ）の共晶半田等を用いることができる。各ワイヤ３１１、３１２には、金（Ａｕ）又はアルミニウム（Ａｌ）が用いられる。図１（ａ）には、各ワイヤ３１１、３１２を１本ずつとしているが、インダクタンス低減及び許容電流容量を高くする等の目的により、複数本とすることがある。
【００６８】
半導体チップ３１０は、例えば、シリコン（Ｓｉ）からなる基板上に成長させた窒化ガリウム（ＧａＮ）系化合物半導体に形成されたヘテロ接合電界効果型トランジスタ（Hetero-junction Field Effect Transistor:ＨＦＥＴ）を用いることができる。シリコン基板には、高い比抵抗を有する基板、例えば比抵抗が１ｋΩ・ｃｍ以上の基板を用いる。また、半導体チップ３１０の厚さは１００μｍ程度である。
【００６９】
なお、半導体チップ３１０は、窒化ガリウム（ＧａＮ）系半導体に限られず、ヒ化ガリウム（ＧａＡｓ）系のＭＥＳＦＥＴ（Metal Semiconductor Field Effect Transistor）、ＰＨＥＭＴ（Pseudmorphic High Electron Mobility Transistor）若しくはＨＢＴ（Hetero-junction Bipolar Transistor）でもよく、シリコン（Ｓｉ）系ＭＯＳＦＥＴ（Metal Oxide Semiconductor Field Effect Transistor）若しくはバイポーラトランジスタでもよく、また、ＩｎＰ系トランジスタ等が適用可能である。
【００７０】
図２（ａ）及び図２（ｂ）に半導体チップ３１０におけるトランジスタ真性領域と配線（パッド）のレイアウトを示す。なお、本実施形態においては、図２に示すレイアウトは、図１に示す第１のボンディングパッド３０２ａをゲート側として配置し、第２のボンディングパッド３０３ａをドレイン側として配置して、ソース接地をする場合のレイアウトである。
【００７１】
また、図２（ｃ）に示すように、高出力化を図るために、ＦＥＴにおける線状のゲート（フィンガ）の数を増やして、くし状に配置したり、複数のフィンガを一ユニットとしてマルチセル化したりすることにより、総ゲート幅を大きくすることが一般に行われている。
【００７２】
図２（ａ）及び図２（ｂ）に示すように、半導体チップ３１０の上面には、ＧａＮ系ＨＦＥＴの真性領域４０１が形成されている。真性領域４０１に形成されているゲート電極、ソース電極及びドレイン電極を真性領域４０１の外部に引き出すことにより、真性領域４０１の周囲には、それぞれワイヤボンディング用ゲートパッド４０２、ワイヤボンディング用ソースパッド４０３及びワイヤボンディング用ドレインパッド４０４が形成されている。
【００７３】
ここで、図２（ａ）と図２（ｂ）とでは、それぞれのワイヤボンディング用ゲートパッド４０２の平面形状が異なっている。図２（ａ）に示すゲートパッド４０２の平面形状が、ほぼ正方形であるのに対し、図２（ｂ）に示すゲートパッド４０２は、図２（ａ）に示すゲートパッド４０２に対して、両側に直角に引き出して、平面Ｔ字状としている。この引き出した部分に、複数本のワイヤを接続することができるため有効である。さらに、図２（ｂ）に示すゲートパッド４０２は、図２（ａ）のゲートパッド４０２に対して、高周波的な分布定数素子としては、先端開放型のスタブとして機能するため、トランジスタのインピーダンスの５０Ω整合に有効である。
【００７４】
図２（ｃ）の構成において、単位フィンガ長Ｌｆは４００μｍであり、１２本のフィンガによって総ゲート幅Ｗｇは４８００μｍとなる。また、半導体チップ３１０の外形寸法は、ほぼ０．６ｍｍ角である。
【００７５】
上述したように、半導体チップ３１０を含むダイパッド３０１及びボンディングパッド３０２ａ、３０３ａは、樹脂封止領域３１３がエポキシ等の封止樹脂材によって封止されている。このとき、ダイパッド３０１の半導体チップ３１０と反対側の面（裏面）は、封止樹脂材によって覆われずに露出している。このダイパッド３０１の露出部分は、接地用端子及び放熱経路として、高周波デバイス又はパワーデバイスをダイパッド３０１に実装した後に重要な役割を果たす。さらに、この露出部分は、システム又はセット内の高周波回路部におけるボード上の接地用パッドに半田付け等によって電気的に接続される。
【００７６】
第１のボンディングパッド３０２ａの上面及び第２のボンディングパッド３０３ａの上面と、ダイパッド３０１の上面とはほぼ同一の高さとしている。これにより、第１のボンディングパッド３０２ａ及び第２のボンディングパッド３０３ａと、ダイパッド３０１の上に保持された半導体チップ３１０との間を電気的に接続するワイヤ３１１、３１２は、接地電位面として機能するダイパッド３０１との間隔が小さくなる。このため、対接地容量成分、すなわち並列容量成分が増えることになる。この並列容量成分は、図１（ｂ）に示す第１のワイヤ３１１に付加した寄生容量素子として記載している。この並列容量成分により、トランジスタの低インピーダンスが高インピーダンスへと変換されるため、半導体チップからアウタリードまでの高周波の損失が低減される。その上、寄生容量素子はプリマッチング機能を有するため、パッケージのリード端のインピーダンスとして５０Ωに近いインピーダンスを実現することができる。
【００７７】
各インナリード３０２、３０３の第１のボンディングパッド３０２ａの下側部分及び第２のボンディングパッド３０３ａの下側部分には、誘電体材料である封止樹脂材が充填される。従って、封止樹脂材から露出するダイパッド３０１の裏面がシステム又はセット内の高周波回路部におけるボード上の接地用パッドに半田付け等により電気的に接続されると、各インナリード３０２、３０３の下側に充填された封止樹脂材が接地容量成分、すなわち並列容量成分となる。この並列容量成分はプリマッチング機能として働くため、パッケージのリード端のインピーダンスとして５０Ωに近いインピーダンスを実現できる。
【００７８】
このように、第１の実施形態によると、半導体チップ３１０の各パッドからインナーリード３０２、３０３のボンディングパッド３０２ａ、３０３ａへのワイヤ長を短縮し、且つワイヤ長を均等としている。さらに、各インナリード３０２、３０３とダイパッド３０１との間の高低差をなくすようにしている。このため、インナリード３０２、３０３自体の寄生インダクタンス成分を小さくすることができる。
【００７９】
その上、ワイヤ３１１、３１２とインナリード３０２、３０３との対接地容量成分が増加するため、半導体チップ３１０からアウタリードまでの高周波損失を低減することができる。その結果、高性能な高出力電力増幅器の樹脂モールドパッケージ品を実現できる。
【００８０】
また、本半導体装置（パッケージ）をシステム又はセット内の高周波回路部におけるボード上に実装する際に、５０Ω整合を取るための外付けのチップ容量素子、抵抗素子及びインダクタの部品点数を減らすことができると共に、広い周波数帯域のインピーダンス整合にも対応できるという利点がある。
【００８１】
（製造方法）
次に、第１の実施形態に係るリードフレームの製造方法の一例について図３（ａ）〜図３（ｄ）を参照しながら説明する。
【００８２】
まず、図３（ａ）に示すように、厚板部及び薄板部を有する金属板３０１Ａをスタンピング加工で打ち抜くことにより、図３（ｂ）に示すダイパッド３０１、第１のインナリード３０２、第２のインナリード３０３、吊りリード３０４及び突き出し部３０１ｃを形成する。なお、各リード３０２〜３０４及び突き出し部３０１ｃは、スタンピング加工に限られず、エッチングにより形成可能な厚さであれば、エッチング加工により形成してもよい。
【００８３】
続いて、第１のインナリード３０２、第２のインナリード３０３及びダイパッド３０１の必要な部分に銀めっきを施す。銀めっきは、ダイパッド３０１に固着される半導体チップと、第１のボンディングパッド３０２ａ及び第２のボンディングパッド３０３ａとをワイヤにより電気的に接続する際の、各ボンディングパッドとワイヤとの合金を促進し、ワイヤボンディング時の熱圧着の強度を上げるために行う。さらに、スタンピング加工によって、角部又は隅部を斜めに削る加工である面取り形状や、窪み等の複雑な横断面形状を、各インナリード３０２、３０３及びダイパッド３０１の少なくとも一方に形成することができる。この複雑な横断面形状は、樹脂封止後の封止樹脂材の内部において、各インナリード３０２、３０３の機械的な噛み合わせを強める役割を果たす。
【００８４】
次に、図３（ｃ）に示すように、各インナリード３０２、３０３におけるボンディングパッド３０２ａ、３０３ａとの各接続部分と、吊りリード３０４におけるダイパッド３０１の突き出し部３０１ｃとの接続部分とに、プレスを用いて曲げ加工部３０５をそれぞれ形成する。
【００８５】
次に、図３（ｄ）に示すように、半導体チップ３１０をダイパッド３０１の上面の所定の位置に固着する。具体的には、半導体チップ３１０は、その中心位置がダイパッド３０１の中心位置よりも突き出し部３０１ｃ側に位置するように固着する。続いて、図２に示した半導体チップ３１０上のワイヤボンディング用ゲートパッド４０２及びドレインパッド４０４と、各インナリード３０２、３０３の各ボンディングパッド３０２ａ、３０３ａとを、第１のワイヤ３１１及び第２のワイヤ３１２によってそれぞれ電気的に接続する。その後、樹脂封止領域３１３をエポキシ等の封止樹脂材によって封止する。
【００８６】
第１のインナリード３０２及び第２のインナリード３０３における樹脂封止領域３１３から露出するアウタリードには、錫（Ｓｎ）等のめっきが施され、これらアウタリードが、周囲のフレームから切断されて所望の半導体装置を得る。
【００８７】
以上の製造方法により、下記の３つの効果を得られるため、高性能な高出力電力増幅器を含む樹脂モールドパッケージ品を得ることができる。
【００８８】
第１に、ダイパッドに、インナリードのボンディングパッドが配置される切り欠き部を形成して、ダイパッドとインナリードとの間の高低差及び半導体チップとボンディングパッドとの距離を小さくすることにより、各ワイヤの長さを短縮できる。その結果、ワイヤによる寄生インダクタンスを低減できると共に、半導体チップからアウタリードまでの高周波損失を低減できる。
【００８９】
第２に、ワイヤ及びインナリードの対接地容量成分が増加するため、トランジスタの低インピーダンスが高インピーダンスへ変換されていく。このため、半導体チップからアウタリードまでの高周波損失が低減される。その上、対接地容量成分がプリマッチング機能を持つため、パッケージのリード端のインピーダンスとして５０Ωに近いインピーダンスを実現できる。従って、本実施形態に係るパッケージをシステム又はセット内の高周波回路部におけるボード上に実装する際に、５０Ω整合を取るためのボード上に実装する外付けのチップ容量素子、抵抗素子及びインダクタの部品点数を減らすことができ、その上、広い周波数帯域のインピーダンス整合に対応できる。
【００９０】
第３に、半導体チップとインナリードのボンディングパッドとの間を接続するワイヤの長さを均等にすることができる。これにより、半導体チップに入力される高周波信号の位相と該半導体チップから出力される高周波信号の位相とが揃うため、高出力電力増幅器として、出力電力及び利得の低下を防ぐことができる。入力側と出力側とのワイヤ長が均等でない場合には、各ワイヤを伝送する高周波信号の位相が異なり、半導体チップに入力される高周波信号の位相と該半導体チップから出力される高周波信号の位相とがずれる場合がある。その結果、高出力電力増幅器として、出力電力及び利得が低下して、高周波特性が劣化する場合がある。
【００９１】
（第１の実施形態の第１変形例）
以下、本発明の第１の実施形態の第１変形例に係る半導体装置について図４を参照しながら説明する。
【００９２】
図４に示すように、第１変形例に係るリードフレームは、ダイパッド３０１に形成される第１の切り欠き部３０１ａ及び第２の切り欠き部３０１ｂの切り欠き面積を大きくし、それに合わせて各インナリード３０２、３０３のボンディングパッド３０２ａ、３０３ａの平面積を大きくしている。
【００９３】
また、半導体チップ３１０は、２つの切り欠き部３０１ａ、３０１ｂに挟まれた突き出し部３０１ｃの上に保持される。
【００９４】
その結果、本変形例においては、半導体チップ３１０と、第１のボンディングパッド３０２ａ及び第２のボンディングパッド３０３ａとを接続する各ワイヤ３１１、３１２の長さを、より短縮することができる。
【００９５】
（第１の実施形態の第２変形例）
以下、本発明の第１の実施形態の第２変形例に係る半導体装置について図５を参照しながら説明する。
【００９６】
図５に示すように、第２変形例に係るリードフレームは、ダイパッド３０１の突き出し部３０１ｃを薄板部に変えて、ダイパッド３０１と同様に厚板部により構成してもよい。
【００９７】
（第１の実施形態の第３変形例）
以下、本発明の第１の実施形態の第３変形例に係る半導体装置について図６を参照しながら説明する。
【００９８】
図６に示すように、第３変形例に係るリードフレームは、各インナリード３０２、３０３が、各ボンディングパッド３０２ａ、３０３ａに対してそれぞれ外側の側面と一致するように形成されている。
【００９９】
このような構成のリードフレームであっても、第１の実施形態と同様の効果を得ることができる。
【０１００】
（第１の実施形態の第４変形例）
以下、本発明の第１の実施形態の第４変形例に係る半導体装置について図７を参照しながら説明する。
【０１０１】
図７に示すように、第４変形例に係るリードフレームは、各インナリード３０２、３０３が、各ボンディングパッド３０２ａ、３０３ａに対してそれぞれ内側の側面と一致するように形成されている。
【０１０２】
このような構成のリードフレームであっても、第１の実施形態と同様の効果を得ることができる。
【０１０３】
（第１の実施形態の第５変形例）
以下、本発明の第１の実施形態の第５変形例に係る半導体装置について図８を参照しながら説明する。
【０１０４】
図８（ａ）及び図８（ｂ）に示すように、第５変形例に係るリードフレームは、該リードフレーム全体を、銅（Ｃｕ）を主成分とし、厚さが０．４ｍｍ〜０．５ｍｍ程度の均一な薄板部材により構成している。
【０１０５】
第５変形例においては、第１のインナリード３０２及び第２のインナリード３０３は、金型によるプレス加工によって上方に屈曲された曲げ加工部３０５を有している。具体的には、各ボンディングパッド３０２ａ、３０３ａの下面がダイパッド３０１の上面の高さとほぼ同一となるように曲げ加工する。
【０１０６】
なお、曲げ加工部３０５は、システム又はセット内の高周波回路部におけるボード上への実装形態によってその要否が決定されるため、設けない場合もある。
【０１０７】
また、各インナリード３０２、３０３の平面形状には、第３変形例又は第４変形例を適用してもよい。
【０１０８】
第１のインナリード３０２及び第２のインナリード３０３に曲げ加工部３０５を設ける場合には、第１のボンディングパッド３０２ａ及び第２のボンディングパッド３０３ａの下側部分には、誘電体材料である封止樹脂材が充填される。従って、封止樹脂材から露出するダイパッド３０１の裏面がシステム又はセット内の高周波回路部におけるボード上の接地用パッドに半田付け等により電気的に接続されると、各ボンディングパッド３０２ａ、３０３ａの下側に充填された封止樹脂材が接地容量成分、すなわち並列容量成分となる。この並列容量成分はプリマッチング機能として働くことにより、トランジスタの低インピーダンスが高インピーダンスへ変換される。その結果、半導体チップからアウタリードまでの高周波損失が低減されると共に、容量成分がプリマッチング機能を有することから、パッケージのリード端のインピーダンスとして５０Ωに近いインピーダンスを実現できる。
【０１０９】
さらに、第５変形例に係る半導体装置を、システム又はセット内の高周波回路部のボード上に実装する際に、５０Ω整合を取るための外付けのチップ容量素子、抵抗素子及びインダクタの部品点数を減らすことができると共に、広い周波数帯域のインピーダンス整合にも対応することができる。
【０１１０】
（第１の実施形態の第６変形例）
以下、本発明の第１の実施形態の第６変形例に係る半導体装置について図９を参照しながら説明する。
【０１１１】
図９（ａ）及び図９（ｂ）に示すように、第６変形例に係るリードフレームは、ダイパッド３０１に形成される切り欠き部３０１ａ、３０１ｂの平面形状を三角形状としている。これに合わせて、各インナリード３０２、３０３に設けるボンディングパッド３０２ａ、３０３ａも、各切り欠き部３０１ａ、３０１ｂの斜辺である側面に沿うような平面形状を有している。
【０１１２】
（第１の実施形態の第７変形例）
以下、本発明の第１の実施形態の第７変形例に係る半導体装置について図１０を参照しながら説明する。
【０１１３】
図１０（ａ）及び図１０（ｂ）に示すように、第７変形例に係るリードフレームは、ダイパッド３０１に形成される切り欠き部３０１ａ、３０１ｂの平面形状を凹状の円弧としている。これに合わせて、各インナリード３０２、３０３に設けるボンディングパッド３０２ａ、３０３ａも、各切り欠き部３０１ａ、３０１ｂの凹状の円弧の側面に沿うような、凸状の円弧状を有している。
【０１１４】
なお、切り欠き部３０１ａ、３０１ｂの平面形状を、凹状の円弧に代えて、凸状の円弧としてもよい。この場合にも、各ボンディングパッド３０２ａ、３０３ａの平面形状は、各切り欠き部３０１ａ、３０１ｂの円弧の側面に沿うようにする。
【０１１５】
（第１の実施形態の第８変形例）
以下、本発明の第１の実施形態の第８変形例に係る半導体装置について図１１を参照しながら説明する。
【０１１６】
図１１に示すように、第８変形例に係るリードフレームは、第１のインナリード３０２、第２のインナリード３０３及び吊りリード３０４に曲げ加工部３０５を設けない構成としている。これにより、各インナリード３０２、３０３及び吊りリード３０４の上面は、ダイパッド３０１（突き出し部３０１ｃ）の上面の高さとほぼ同等となる。
【０１１７】
但し、各インナリード３０２、３０３及び吊りリード３０４は、薄板部に形成される。
【０１１８】
上記のような、第６〜第８の各変形例に係るリードフレームであっても、第１の実施形態と同様の効果を得ることができる。
【０１１９】
（第２の実施形態）
以下、本発明の第２の実施形態に係る半導体装置について図１２（ａ）及び図１２（ｂ）を参照しながら説明する。図１２において、図１に示す構成部材と同一の構成部材には同一の符号を付し、相違する構成部材のみを説明する。
【０１２０】
図１２（ａ）及び図１２（ｂ）に示すように、第２の実施形態に係るリードフレームの第１のインナリード３０２及び第２のインナリード３０３には、それぞれ各ボンディングパッド３０２ａ、３０３ａの外側の端部がダイパッド３０１における互いに対向する側面（インナリードの長手方向に平行な側面）に沿い且つ間隔をおいて延びる第１の延長部３０２ｂ及び第２の延長部３０３ｂが設けられている。
【０１２１】
ここで、各延長部３０２ｂ、３０３ｂのダイパッド３０１側とダイパッド３０１の側面との間隔は、０．４ｍｍ〜０．５ｍｍ程度である。
【０１２２】
各延長部３０２ｂ、３０３ｂは、それぞれ高周波的な分布定数素子の先端開放型のスタブ（オープンスタブ）として機能し、トランジスタのインピーダンスを５０Ωに整合するために有効である。
【０１２３】
第１の実施形態において、接地面に対する並列容量が増えると、プリマッチング機能によって、５０Ω整合に寄与することを説明した。
【０１２４】
並列容量成分の周波数依存性は、分布定数素子の先端開放型のスタブ（オープンスタブ）の周波数依存性とほぼ同等である。但し、オープンスタブのスタブ長は、所望の周波数の電気長として波長の４分の１以下である。従って、半導体装置を伝送する高周波信号の周波数によってオープンスタブの長さが変わるため、第１の延長部３０２ｂ及び第２の延長部３０３ｂの最適な長さは、周波数に応じて変わることになる。
【０１２５】
このため、実際には、各延長部３０２ｂ、３０３ｂにおける先端部（突き出し部３０１ｃと反対側の端部）の位置は、ダイパッド３０１における突き出し部３０１ｃと反対側の側面から、各ボンディングパッド３０２ａ、３０３ａとの接続位置までの間で、その長さが適当な値に調整される。なお、第１の延長部３０２ｂの長さと第２の延長部３０３ｂの長さとは互いに異なっていてもよい。
【０１２６】
各ボンディングパッド３０２ａ、３０３ａの下側部分を含め、各延長部３０２ｂ、３０３ｂの下側部分にも、誘電体材料である封止樹脂材が充填される。従って、封止樹脂材から露出するダイパッド３０１の裏面がシステム又はセット内の高周波回路部におけるボード上の接地用パッドに半田付け等により電気的に接続されると、各延長部３０２ｂ、３０３ｂの下側に充填された封止樹脂材が接地容量成分、すなわち並列容量成分となる。この並列容量成分はプリマッチング機能として働くため、パッケージのリード端のインピーダンスとして５０Ωに近いインピーダンスを実現できる。このため、本半導体装置（パッケージ）をシステム又はセット内の高周波回路部におけるボード上に実装する際に、５０Ω整合を取るため外付けのチップ容量素子、抵抗素子及びインダクタの部品点数を減らすことができると共に、広い周波数帯域のインピーダンス整合に対応することができる。
【０１２７】
図１３（ａ）〜図１３（ｃ）に、並列容量成分の周波数依存性が分布定数素子の先端開放型のスタブの周波数依存性とほぼ同等であることを説明する。
【０１２８】
図１３（ａ）は、始点インピーダンス（Ｚ０）に直列素子（Ｚｓ）として、インダクタンス成分Ｌを挿入した場合の矢印の方向を見たスミスチャート上でのインピーダンスの軌跡を示している。図１３（ｂ）は、始点インピーダンス（Ｚ０）に並列素子（Ｙｐ）として、キャパシタンス成分を挿入した場合の矢印の方向を見たアドミタンスチャート上でのインピーダンスの軌跡を示している。また、図１３（ｃ）は、始点インピーダンス（Ｚ０）に並列素子（Ｙｐ）として、インダクタンス成分を挿入した場合の矢印の方向を見たアドミタンスチャート上でのインピーダンスの軌跡を示している。
【０１２９】
スミスチャートは、インピーダンスと反射係数との関係を図表化しており、アドミタンスチャートは、アドミタンスと反射係数との関係を図表化している。スミスチャートは直列回路（素子）の取り扱いに適し、アドミタンスチャートは並列回路（素子）の取り扱いに適している。いずれのチャートでも、インピーダンス又はアドミタンスを基準となる特性インピーダンスで正規化して表示する。一般に、特性インピーダンス５０Ωが基準となる。
【０１３０】
前述したように、ダイパッド３０１の裏面は、封止樹脂材で覆われずに露出している。この露出部分が、接地用端子及び放熱経路として高周波デバイス又はパワーデバイスの実装用基板への実装時には重要な役割を果たす。
【０１３１】
すなわち、ダイパッド３０１の裏面は、システム又はセット内の高周波回路部におけるボード上の接地用パッドに半田付け等により電気的に接続される。また、第１のボンディングパッド３０２の上面及び第２のボンディングパッド３０３の上面と、ダイパッド３０１の上面とはほぼ同一の高さに配置される。これにより、ダイパッド３０１の上に固着された半導体チップ３１０と第１のボンディングパッド３０２及び第２のボンディングパッド３０３との間を電気的に接続する第１のワイヤ３１１及び第２のワイヤ３１２は、接地電位面として機能するダイパッド３０１との間隔が小さくなるため、対接地容量成分、すなわち並列容量成分が増えることになる。
【０１３２】
この並列容量成分により、トランジスタの低インピーダンスが高インピーダンスへ変換されていくため、半導体チップからアウタリードまでの高周波の損失が低減される。その上、並列容量成分はプリマッチング機能を有するため、パッケージのリード端のインピーダンスとして５０Ωに近いインピーダンスを実現できる。
【０１３３】
なお、第２の実施形態に係るリードフレームの製造方法は、図３で示した第１の実施形態に係るリードフレームの製造方法と同等であるが、各インナリード３０２、３０３のボンディングパッド３０２ａ、３０３ａが延長された延長部３０２ｂ、３０３ｂを薄板部から、各ボンディングパッド３０２ａ、３０３ａと一体に打ち抜く工程が異なる。
【０１３４】
第２の実施形態においても、上記の構成により、第１の実施形態で説明した３つの効果に加え、下記に示す第４の効果を得られるため、高性能な高出力電力増幅器を含む樹脂モールドパッケージ品を実現することができる。
【０１３５】
第４の効果は、第１のボンディングパッド３０２ａの第１の延長部３０２ｂ及び第２のボンディングパッド３０３ａの第２の延長部３０３ｂが、高周波的な分布定数素子として先端開放型のスタブ（オープンスタブ）として機能し、等価的に並列容量の増加をもたらす。この増加した並列容量のプリマッチング機能により、トランジスタの低インピーダンスが高インピーダンスへ変換されていくため、半導体チップからアウタリードまでの高周波損失が低減されると共に、パッケージのリード端のインピーダンスとして５０Ωに近いインピーダンスを実現できる。
【０１３６】
（第２の実施形態の第１変形例）
以下、本発明の第２の実施形態の第１変形例に係る半導体装置について図１４を参照しながら説明する。
【０１３７】
図１４に示すように、第１変形例に係るリードフレームは、各インナリード３０２、３０３が、ボンディングパッド３０２ａ、３０３ａに対してそれぞれ外側の側面と一致するように形成され、延長部３０２ｂ、３０３ｂの長手方向の中心線とそれぞれ一致するように形成されている。
【０１３８】
このような構成のリードフレームであっても、第２の実施形態と同様の効果を得ることができる。
【０１３９】
（第２の実施形態の第２変形例）
以下、本発明の第２の実施形態の第２変形例に係る半導体装置について図１５を参照しながら説明する。
【０１４０】
図１５に示すように、第２変形例に係るリードフレームは、各インナリード３０２、３０３が、各ボンディングパッド３０２ａ、３０３ａに対してそれぞれ内側の側面と一致するように形成されている。
【０１４１】
このような構成のリードフレームであっても、第２の実施形態と同様の効果を得ることができる。
【０１４２】
なお、インナリードのボンデイングパッドとの接続位置は、ボンデイングパッドの外側部分から内側部分の間で任意の位置に設定可能である。
【０１４３】
（第２の実施形態の第３変形例）
以下、本発明の第２の実施形態の第３変形例に係る半導体装置について図１６を参照しながら説明する。
【０１４４】
図１６（ａ）及び図１６（ｂ）に示すように、第３変形例に係るリードフレームは、先端開放型のスタブ（オープンスタブ）を、各ボンディングパッド３０２ａ、３０３ａと一体に形成するのではなく、各ボンディングパッド３０２ａ、３０３ａとは別体の第３のインナーリード３２１及び第４のインナーリード３２２として形成している。
【０１４５】
具体的には、第３のインナーリード３２１は、第１のインナリード３０２の外側で、且つダイパッド３０１の側面に平行に延びる第１の延長部３２１ａを有している。また、第４のインナーリード３２２は、第２のインナリード３０３の外側で、且つダイパッド３０１の側面に平行に延びる第２の延長部３２２ａを有している。
【０１４６】
第３のインナリード３２１の第１の延長部３２１ａを高周波的な分布定数素子の先端開放型のスタブとして機能させるために、第３のインナリード３２１は、第３のワイヤ３２３によって第１のボンディングパッド３０２ａと電気的に接続されている。同様に、第４のインナリード３２２は、第４のワイヤ３２４によって第２のボンディングパッド３０３ａと電気的に接続されている。
【０１４７】
なお、本パッケージをシステム又はセット内の高周波回路部におけるボード上に実装する際には、第３のインナリード３２１及び第４のインナリード３２２のアウタリード側は、非接続（ＮＣ：Non-Connectin）であってもよい。また、チップ容量素子等を電気的に接続しておけば、上述したプリマッチング機能を果たす。
【０１４８】
また、第１の実施形態の第５変形例のように、リードフレームの厚さを０．４ｍｍ〜０．５ｍｍ程度の均一な厚さの薄板材とし、該薄板材から、ダイパッド３０１、第１のインナリード３０２、第２のインナリード３０３及び吊りリード３０４を形成し、第１のボンディングパッド３０２ａ及び第２のボンディングパッド３０３ａの外側の一部分からそれぞれ延長部３０２ｂ、３０３ｂを形成してもよい。
【０１４９】
この場合には、第１の実施形態の第５変形例のように、各ボンディングパッド３０２ａ、３０３ａ及びその延長部３０２ｂ、３０３ｂは、それらの下面がダイパッド３０１の上面の高さとほぼ同一となるように曲げ加工する。
【０１５０】
また、第２の実施形態及びその変形例においても、ダイパッド３０１に形成する切り欠き部３０１ａ、３０１ｂの平面形状については、第１の実施形態の図９及び図１０の平面形状を適用可能である。
【０１５１】
（第３の実施形態）
以下、本発明の第３の実施形態に係る半導体装置について図１７（ａ）及び図１７（ｂ）を参照しながら説明する。図１７において、図１２に示す構成部材と同一の構成部材には同一の符号を付し、相違する構成部材のみを説明する。
【０１５２】
図１７（ａ）及び図１７（ｂ）に示すように、第３の実施形態に係るリードフレームにおいては、第１のボンディングパッド３０２ａの第１の延長部３０２ｂの端部及び第２のボンディングパッド３０３ａの第２の延長部３０３ｂの端部が、それぞれ突起状の第１の接続部３０２ｃ及び第２の接続部３０３ｃによってダイパッド３０１と電気的に接続されている。
【０１５３】
パッケージとして、封止樹脂材から露出するダイパッド３０１を、システム又はセット内の高周波回路部におけるボード上の接地用パッドに半田付け等により電気的に接続すると、第１の延長部３０２ｂ及び第２の延長部３０３ｂは共に接地電位となる。これにより第１の延長部３０２ｂ及び第２の延長部３０３ｂは、高周波的な分布定数素子の先端短絡型のスタブ（ショートスタブ）として機能することになる。
【０１５４】
従って、半導体装置を伝送する高周波信号の周波数によって先端短絡型のスタブの長さが変わるため、第１の延長部３０２ｂ及び第２の延長部３０３ｂの最適な長さは、周波数に応じて変わることになる。
【０１５５】
このため、実際には、各延長部３０２ｂ、３０３ｂにおける突き出し部３０１ｃと反対側の端部の位置は、ダイパッド３０１における突き出し部３０１ｃと反対側の側面から、各ボンディングパッド３０２ａ、３０３ａとの接続位置までの間で、その長さが適当な値に調整される。なお、第１の延長部３０２ｂと第２の延長部３０３ｂと互いの長さは異なっていてもよい。
【０１５６】
また、第１の接続部３０２ｃ及び第２の接続部３０３ｃは、プレス加工ではなく、エッチング加工により形成することができる。
【０１５７】
ところで、図１３（ｃ）に示すように、トランジスタの入力インピーダンス位置に対して、例えば、ボンディングワイヤ又はリードのインダクタンス成分が加わった後のインピーダンス位置としてリアクタンス成分が負となる容量性領域にある場合に、先端短絡型のスタブは、５０Ω整合するために有効に機能する。なお、図１３（ｃ）は、アドミタンスチャートに先端短絡型のスタブが付加された場合のインピーダンスの軌跡を示している。
【０１５８】
第３の実施形態においては、半導体チップ３１０におけるワイヤボンディング用ゲートパッド４０２と真性領域４０１との間に、図１８（ａ）及び図１８（ｂ）に示すように、トランジスタに電圧を印加して生じる直流電流を阻止する容量素子部４０５を挿入する必要がある。
【０１５９】
容量素子は、半導体チップ３１０のワイヤボンディング用ゲートパッド４０２と真性領域４０１との間に容量素子部４０５を設ける構成に代えて、半導体チップ３１０と第１のボンディングパッド３０２ａ及び第２のボンディングパッド３０３ａとの間に、容量素子を含むチップをダイパッド３０１上に実装する構成としてもよい。ここで、容量素子を含むチップには、半導体基板上に形成された容量素子又はセラミック基板上に形成された平行平板型素子を用いることができる。
【０１６０】
なお、本実施形態において、ショートスタブ機能を有するリードを、半導体チップ３１０からみて片側だけに設ける場合においても容量素子の適用は可能である。例えば、ショートスタブ機能を有するリートが第１のインナリード３０２だけの場合、半導体チップ３１０と第１のボンディングパッド３０２ａとの間に、容量素子を含むチップをダイパッド３０１の上に実装する構成としてもよい。
【０１６１】
また、本実施形態に限らず、第１及び第２の実施形態におけるオープンスタブ機能を有するリードを、半導体チップ３１０からみて片側だけに設ける場合においても、上記と同様に容量素子の適用は可能である。
【０１６２】
（第３の実施形態の第１変形例）
以下、本発明の第３の実施形態の第１変形例に係る半導体装置について図１９を参照しながら説明する。
【０１６３】
図１９に示すように、第１変形例に係るリードフレームは、第１のボンディングパッド３０２ａの第１の延長部３０２ｂ及び第２のボンディングパッド３０３ａの第２の延長部３０３ｂに設ける突起状の各接続部３０２ｃ、３０３ｃに代えて、第３のワイヤ３２３及び第４のワイヤ３２４によってそれぞれダイパッド３０１と電気的に接続されている。
【０１６４】
このようにしても、ダイパッド３０１の電位が接地電位とされた場合には、第１の延長部３０２ｂ及び第２の延長部３０３ｂは、高周波的な分布定数素子の先端短絡型のスタブとして機能する。この動作原理と具体的な構成は、第３の実施形態に示したとおりである。
【０１６５】
なお、第３のワイヤ３２３及び第４のワイヤ３２４の接続位置は、ダイパッド３０１における各延長部３０２ｂ、３０３ｂと対向する側面の任意の位置でよく、また複数の箇所に設けても、第３の実施形態と同様の効果を得ることができる。
【０１６６】
（第３の実施形態の第２変形例）
以下、本発明の第３の実施形態の第２変形例に係る半導体装置について図２０を参照しながら説明する。
【０１６７】
図２０に示すように、第２変形例に係るリードフレームには、第１のボンディングパッド３０２ａの第１の延長部３０２ｂ及び第２のボンディングパッド３０３ａの第２の延長部３０３ｂの各端部に、それぞれダイパッド３０１の側面に向かって張り出し、且つ空隙３３０を有する第１の張り出し部３０２ｄ及び第２の張り出し部３０３ｄを設けている。
【０１６８】
各張り出し部３０２ｄ、３０３ｄとダイパッド３０１との空隙３３０は、封止樹脂材により充填される。この空隙３３０に充填された封止樹脂材によって、各張り出し部３０２ｄ、３０３ｄには容量成分が生じる。この生じた容量成分により、第１の延長部３０２ｂ及び第２の延長部３０３ｂは、高周波的な分布定数素子の先端短絡型のスタブ（ショートスタブ）として機能する。
【０１６９】
なお、第２変形例においては、第３の実施形態及び第１変形例のような、直流成分を阻止（ＤＣブロック）する容量素子部４０５は必ずしも必要ではない。
【０１７０】
また、動作原理と具体的な構成は、第３の実施形態に示したとおりであり、第３の実施形態と同様の効果を得ることができる。
【０１７１】
なお、用いる周波数にもよるが、各張り出し部３０２ｄ、３０３ｄとダイパッド３０１の側面との間の空隙３３０の寸法は、各延長部３０２ｂ、３０３ｂと該延長部３０２ｂ、３０３ｂと対向するダイパッド３０１の側面との間の寸法の３０％〜８０％程度に設定することが好ましい。具体的には、空隙３３０の寸法は０．３ｍｍ〜０．４ｍｍ程度とする。
【０１７２】
（第３の実施形態の第３変形例）
以下、本発明の第３の実施形態の第３変形例に係る半導体装置について図２１を参照しながら説明する。
【０１７３】
図２１に示すように、第３変形例においては、各張り出し部３０２ｄ、３０３ｄは、ダイパッド３０１の対向する側面の中央部付近に設けられている。すなわち、各張り出し部３０２ｄ、３０３ｄは  各延長部３０２ｂ、３０３ｂの側面の任意の位置でよく、また複数の箇所に設けても、第３の実施形態と同様の効果を得ることができる。
【０１７４】
（第３の実施形態の第４変形例）
以下、本発明の第３の実施形態の第４変形例に係る半導体装置について図２２を参照しながら説明する。
【０１７５】
図２２（ａ）及び図２２（ｂ）に示すように、第４変形例に係るリードフレームには、第１のボンディングパッド３０２ａの第１の延長部３０２ｂ及び第２のボンディングパッド３０３ａの第２の延長部３０３ｂの各端部に、それぞれ下方に向かって突き出す第１の突起部３０２ｅ及び第２の突起部３０３ｅを設けている。これらの突起部３０２ｅ、３０３ｅは、例えば曲げ加工等によって形成することができる。
【０１７６】
各突起部３０２ｅ、３０３ｅの下面は、ダイパッド３０１の下面と互いの高さが揃うように形成されている。従って、本リードフレームが、樹脂封止領域３１３において、封止樹脂材により封止された際に、ダイパッド３０１の裏面に加え、各突起部３０２ｅ、３０３ｅの下面が封止樹脂材から露出する。
【０１７７】
第４変形例に係るパッケージにおけるダイパッド３０１、第１の突起部３０２ｅ及び第２の突起部３０３ｅが、システム又はセット内の高周波回路部におけるボード上の接地用パッドに半田付け等によって電気的に接続されると、第１の突起部３０２ｅ及び第２の突起部３０３ｅは共に接地電位となる。これにより、第１のインナリード３０２の第１の延長部３０２ｂ及び第２のインナリード３０３の第２の延長部３０３ｂは、高周波的な分布定数素子の先端短絡型のスタブ（ショートスタブ）として機能する。この動作原理と具体的な構成は、第３の実施形態に示したとおりである。
【０１７８】
（第３の実施形態の第５変形例）
以下、本発明の第３の実施形態の第５変形例に係る半導体装置について図２３を参照しながら説明する。
【０１７９】
図２３に示すように、第５変形例においては、各突起部３０２ｅ、３０３ｅは、ダイパッド３０１の対向する側面の中央部付近に設けられている。すなわち、各突起部３０２ｅ、３０３ｅは  各延長部３０２ｂ、３０３ｂの下面の任意の位置でよく、また複数の箇所に設けても、第３の実施形態と同様の効果を得ることができる。
【０１８０】
（第３の実施形態の第６変形例）
以下、本発明の第３の実施形態の第６変形例に係る半導体装置について図２４を参照しながら説明する。
【０１８１】
図２４に示すように、第６変形例に係るリードフレームは、第１のインナリード３０２の第１の延長部３０２ｂに形成される容量生成用の第１の張り出し部に突起部を設け、第１の接地型張り出し部３０２ｆとしている。同様に、第２のインナリード３０３の第２の延長部３０３ｂに形成される容量生成用の第２の張り出し部に突起部を設け、第２の接地型張り出し部３０３ｆとしている。
【０１８２】
この構成により、第２変形例の構成と第４変形例の構成とを併せ持つリードフレームを得ることができる。従って、その効果も第２変形例の効果と第４変形例の効果とを併せ持つことになる。
【０１８３】
なお、各接地型張り出し部３０２ｆ、３０３ｆは  各延長部３０２ｂ、３０３ｂの任意の位置でよく、また複数の箇所に設けてもよい。
【０１８４】
また、各インナリード３０２、３０３の平面形状は、第２の実施形態の第１変形例又は第２変形例に係る形状を適用することができる。
【０１８５】
（第３の実施形態の第７変形例）
以下、本発明の第３の実施形態の第７変形例に係る半導体装置について図２５を参照しながら説明する。
【０１８６】
図２５（ａ）及び図２５（ｂ）に示すように、第７変形例に係るリードフレームは、第４変形例の変形例であって、先端短絡型のスタブ（ショートスタブ）を、各ボンディングパッド３０２ａ、３０３ａと一体に形成するのではなく、各ボンディングパッド３０２ａ、３０３ａとは別体の第３のインナーリード３２１及び第４のインナーリード３２２として形成している。
【０１８７】
具体的には、第３のインナーリード３２１は、第１インナリード３０２の外側で、且つダイパッド３０１の側面に平行に延びる第１の延長部３２１ａを有している。また、第４のインナーリード３２２は、第２インナリード３０３の外側で、且つダイパッド３０１の側面に平行に延びる第２の延長部３２２ａを有している。さらに、第３のインナリード３２１の第１の延長部３２１ａ及び第２のインナリード３２２の第２の延長部３２２ａの各端部に、それぞれ下方に向かって突き出す第１の突起部３２１ｂ及び第２の突起部３２２ｂを設けている。
【０１８８】
各突起部３２１ｂ、３２２ｂの下面は、ダイパッド３０１の下面と互いの高さが揃うように形成されている。従って、本リードフレームが、樹脂封止領域３１３において、封止樹脂材により封止された際に、ダイパッド３０１の裏面に加え、各突起部３２１ｂ、３２２ｂの下面が封止樹脂材から露出する。
【０１８９】
第７変形例に係るパッケージにおけるダイパッド３０１、第１の突起部３２１ｂ及び第２の突起部３２２ｂが、システム又はセット内の高周波回路部におけるボード上の接地用パッドに半田付け等によって電気的に接続されると、第１の突起部３２１ｂ及び第２の突起部３２２ｂは共に接地電位となる。これにより、第３のインナリード３２１の第１の延長部３２１ａ及び第４のインナリード３２２の第２の延長部３２２ａは、高周波的な分布定数素子の先端短絡型のスタブ（ショートスタブ）として機能する。この動作原理と具体的な構成は、第３の実施形態に示したとおりである。
【０１９０】
なお、各突起部３２１ｂ、３２２ｂは  各延長部３２１ａ、３２２ａの下面の任意の位置でよく、また複数の箇所に設けても、第３の実施形態と同様の効果を得ることができる。
【０１９１】
また、第３のインナリード３２１の第１の延長部３２１ａ及び第４のインナリード３２２の第２の延長部３２２ａに、それらの下面から下方に突き出す突起部３２１ｂ、３２２ｂを設ける代わりに、図１７に示すように、それぞれダイパッド３０１の側面と接続する接続部を任意の位置に設けることにより、第１の延長部３２１ａ及び第２の延長部３２２ａのそれぞれ接地電位に設定してもよい。
【０１９２】
また、第１の実施形態の第５変形例のように、リードフレーム全体を厚さが０．４ｍｍ〜０．５ｍｍ程度の均一な薄板部材により構成する場合には、第３の実施形態の第１変形例のように、各延長部３０２ｂ、３０３ｂにそれぞれ第３のワイヤ３２３及び第４のワイヤ３２４を接続する形態、第３の実施形態の第２変形例及び第３変形例のように、各延長部３０２ｂ、３０３ｂにそれぞれ張り出し部３０２ｄ、３０３ｄを設ける形態、さらには、第３の実施形態の第７変形例を適用可能である。
【０１９３】
また、第３の実施形態及びその変形例に係るリードフレームの製造方法については、第１の実施形態に係るリードフレームの製造方法を適用可能である。
【０１９４】
また、第３の実施形態及びその変形例においても、ダイパッド３０１に形成する切り欠き部３０１ａ、３０１ｂの平面形状については、第１の実施形態の図９及び図１０の平面形状を適用可能である。
（第４の実施形態）
以下、本発明の第４の実施形態に係る半導体装置について図２６（ａ）及び図２６（ｂ）を参照しながら説明する。
【０１９５】
図２６（ａ）に示すように、第４の実施形態に係る半導体装置は、半導体チップ３１０をリードフレームに保持する樹脂封止型パッケージの形態を採る。
【０１９６】
第４の実施形態に係るリードフレームは、厚さが１ｍｍ〜２ｍｍ程度の厚板部と、厚さが０．４ｍｍ〜０．５ｍｍ程度の薄板部とを有し、銅（Ｃｕ）を主成分とした異形材フレームとして構成されている。
【０１９７】
第１の実施形態と同様に、上面に半導体チップ３１０を保持するダイパッド３０１は厚板部に形成され、第１のインナリード３０２、第２のインナリード３０３及び吊りリード３０４は薄板部に形成される。第１のインナリード３０２及び第２のインナリード３０３におけるダイパッド３０１側の各端部には、各インナリード３０２、３０３よりも幅広の第１のボンディングパッド３０２ａ及び第２のボンディングパッド３０３ａが設けられている。
【０１９８】
第４の実施形態の特徴として、ダイパッド３０１に、第１のインナリード３０２の第１のボンディングパッド３０２ａ及び第２のインナリード３０３の第２のボンディングパッド３０３を間隔をおいて配置する切り欠き部３０１ａ、３０１ｂを設ける代わりに、各ボンディングパッド３０２ａ、３０３ａが、ダイパッド３０１の各隅部の上方に互いに重なる（交差する）ように形成している。
【０１９９】
ここで、ダイパッド３０１の上面と、各ボンディングパッド３０２ａ、３０３ａの下面の間隔とは、ほぼ薄板部の厚さ相当である。
【０２００】
ダイパッド３０１の上面には、例えば高周波デバイスである半導体チップ３１０がダイボンディング材によって固着されている。該半導体チップ３１０の上面に形成されたワイヤボンディング用パッド（図２参照）は、第１のインナリード３０２及び第２のインナリード３０３の各ボンディングパッド３０２ａ、３０３ａと第１のワイヤ３１１及び第２のワイヤ３１２によってそれぞれ電気的に接続される。ここで、ワイヤ３１１、３１２同士の長さはほぼ同等である。
【０２０１】
半導体チップ３１０のダイパッド３０１上におけるダイボンド位置は、ワイヤ３１１、３１２の長さを短くしたい場合、又は複数本のワイヤの長さを同等にしたい場合に対応して任意の位置が可能である。但し、いずれの場合も、ダイボンド位置は、半導体チップ３１０の中心位置がダイパッド３０１の中心位置よりもボンディングパッド３０２ａ、３０３ａ側に位置するようにする。ダイボンディング材には、第１の実施形態で説明した部材を用いることができる。また、各ワイヤ３１１、３１２は１本ずつとしているが、インダクタンス低減及び許容電流容量を高くする等の目的により、複数本としてもよい。
【０２０２】
半導体チップ３１０は、例えば、窒化ガリウム（ＧａＮ）系化合物半導体からなるヘテロ接合電界効果型トランジスタ（ＨＦＥＴ）を用いることができる。また、半導体チップ３１０の厚さは１００μｍである。
【０２０３】
なお、半導体チップ３１０は、ＧａＮ系半導体に限られず、第１の実施形態で示した他のトランジスタも適用可能である。
【０２０４】
第４の実施形態においても、半導体チップ３１０を含むダイパッド３０１及びボンディングパッド３０２ａ、３０３ａは、樹脂封止領域３１３がエポキシ等の封止樹脂材によって封止されている。このとき、ダイパッド３０１の半導体チップ３１０と反対側の面（裏面）は、封止樹脂材で覆われずに露出している。このダイパッド３０１の露出部分は、接地用端子及び放熱経路として、高周波デバイス又はパワーデバイスをダイパッド３０１に実装した後に重要な役割を果たす。さらに、この露出部分は、システム又はセット内の高周波回路部におけるボード上の接地用パッドに半田付け等によって電気的に接続される。
【０２０５】
インナリード３０２、３０３の第１のボンディングパッド３０２ａの下側部分及び第２のボンディングパッド３０３ａの下側部分には、誘電体材料である封止樹脂材が充填されている。従って、封止樹脂材から露出するダイパッド３０１の裏面がシステム又はセット内の高周波回路部におけるボード上の接地用パッドに半田付け等により電気的に接続されると、各インナリード３０２、３０３の下側に充填された封止樹脂材が接地容量成分、すなわち並列容量成分となる。この並列容量成分はプリマッチング機能として働くため、パッケージのリード端のインピーダンスとして５０Ωに近いインピーダンスを実現できる。
【０２０６】
また、各ボンディングパッド３０２ａ、３０３ａとダイパッド３０１上の半導体チップ３１０との間を電気的に接続するワイヤ３１１、３１２は、接地電位面として機能するダイパッド３０１との間隔を十分に小さくすることにより、対接地容量成分、すなわち並列容量成分が増えることになる。これにより、トランジスタの低インピーダンスが高インピーダンスへ変換されていくため、半導体チップからアウタリードまでの高周波損失が低減される。その上、容量性分のプリマッチング機能によって、パッケージのリード端のインピーダンスとして５０Ωに近いインピーダンスを実現できる。
【０２０７】
このように、第４の実施形態によると、半導体チップ３１０の各パッドからインナーリード３０２、３０３のボンディングパッド３０２ａ、３０３ａへのワイヤ長を短縮し、且つワイヤ長を均等としている。このため、インナリード３０２、３０３自体の寄生インダクタンス成分を小さくすることができる。
【０２０８】
その上、各ワイヤ３１１、３１２と各インナリード３０２、３０３との対接地容量成分が増加するため、半導体チップからアウタリードまでの高周波損失を低減することができる。その結果、高性能な高出力電力増幅器の樹脂モールドパッケージ品を実現できる。
【０２０９】
また、本半導体装置（パッケージ）をシステム又はセット内の高周波回路部におけるボード上に実装する際に、５０Ω整合を取るための外付けのチップ容量素子、抵抗素子及びインダクタの部品点数を減らすことができると共に、広い周波数帯域のインピーダンス整合にも対応できるという利点がある。
【０２１０】
（製造方法）
次に、第４の実施形態に係るリードフレームの製造方法の一例について図２７（ａ）〜図２７（ｄ）を参照しながら説明する。
【０２１１】
まず、図２７（ａ）に示すように、厚板部及び薄板部を有する金属板３０１Ａをスタンピング加工で打ち抜くことにより、図２７（ｂ）に示すダイパッド３０１、第１のインナリード３０２、第２のインナリード３０３及び吊りリード３０４を形成する。なお、リードフレームは、スタンピング加工に限られず、エッチングにより形成可能な厚さであれば、エッチング加工により形成してもよい。続いて、第１のインナリード３０２、第２のインナリード３０３及びダイパッド３０１の必要な部分に銀めっきを施す。また、このスタンピング加工によって、角部又は隅部を斜めに削る加工である面取り形状や、窪み等の複雑な横断面形状を、各インナリード３０２、３０３及びダイパッド３０１の少なくとも一方に形成することができる。
【０２１２】
次に、図２７（ｃ）に示すように、例えば、プレス法により、吊りリード３０４に曲げ角が小さいクランク状で上方に屈曲する第１の曲げ加工部３０４ａを形成する。これにより、各インナリード３０２、３０３と吊りリード３０４のアウタリード側とは、ダイパッド３０１の上面よりも上方に移動する。なお、この段階では、各インナリード３０２、３０３及び吊りリード３０４は図示しないリードフレームによって互いに接続されている。また、ここでは、図３（ｃ）に示す製造方法により形成する曲げ加工と比べて、第１の曲げ加工部３０４ａをダイパッド３０１の上面と平行な方向に長くなるように形成している。
【０２１３】
次に、図２７（ｄ）に示すように、プレス法等により、吊りリード３０４における第１の曲げ加工部３０４ａの近傍部分に対して、第１のインナリード３０２及び第２のインナリード３０３が共にダイパッド３０１の上面に対して平行な方向に移動してダイパッド３０１の上方に配置されるように第２の曲げ加工部３０４ｂを形成する。
【０２１４】
続いて、図示はしていないが、第１の実施形態と同様に、半導体チップ３１０をダイパッド３０１の上面の所定の位置に固着する。具体的には、図２６（ｂ）に示すように、半導体チップ３１０は、その中心位置がダイパッド３０１の中心位置よりもボンディングパッド３０２ａ、３０３ａ側に位置するように固着する。続いて、図２に示した半導体チップ３１０上のワイヤボンディング用ゲートパッド４０２及びドレインパッド４０４と、各ボンディングパッド３０２ａ、３０３ａとを、第１のワイヤ３１１及び第２のワイヤ３１２によってそれぞれ電気的に接続する。その後、樹脂封止領域３１３をエポキシ等の封止樹脂材によって封止する。なお、吊りリード３０４の第２の曲げ加工部３０４ｂは、樹脂封止領域３１３から露出してもよい。なお、本実施形態においても、図２に示すレイアウトを適用し、図２６に示すボンディングパッド３０２ａをゲート側とし、ボンディングパッド３０３ａをドレイン側として配置して、ソース接地をする場合のレイアウトである。
【０２１５】
その後、第１のインナリード３０２、第２のインナリード３０３の各アウタリードには、錫（Ｓｎ）等のめっきが施され、これらアウタリードが、周囲のフレームから切断されて所望の半導体装置を得る。
【０２１６】
以上の製造方法により、下記の３つの効果を得られるため、高性能な高出力電力増幅器を含む樹脂モールドパッケージ品を得ることができる。
【０２１７】
第１に、ダイパッドとインナリードとの間の高低差ができる限り小さくなるように、インナリードの端部であるボンディングパッドをダイパッドの上方に配置して、半導体チップとボンディングパッドとの距離を小さくすることにより、各ワイヤの長さを短縮できる。その結果、ワイヤによる寄生インダクタンスを低減できると共に、半導体チップからアウタリードまでの高周波損失を低減できる。
【０２１８】
第２に、ワイヤ及びインナリードの対接地容量成分が増加するため、トランジスタの低インピーダンスが高インピーダンスへ変換されていく。このため、半導体チップからアウタリードまでの高周波損失が低減される。その上、対接地容量成分がプリマッチング機能を持つため、パッケージのリード端のインピーダンスとして５０Ωに近いインピーダンスを実現できる。従って、本実施形態に係るパッケージをシステム又はセット内の高周波回路部におけるボード上に実装する際に、５０Ω整合を取るためのボード上に実装する外付けのチップ容量素子、抵抗素子及びインダクタの部品点数を減らすことができ、その上、広い周波数帯域のインピーダンス整合に対応できる。
【０２１９】
第３に、半導体チップとインナリードのボンディングパッドとの間を接続するワイヤの長さを均等にすることができる。これにより、半導体チップに入力される高周波信号の位相と該半導体チップから出力される高周波信号の位相とが揃うため、高出力電力増幅器として、出力電力及び利得の低下を防止することができる。
【０２２０】
（第４の実施形態の第１変形例）
以下、本発明の第４の実施形態の第１変形例に係る半導体装置について図２８を参照しながら説明する。
【０２２１】
図２８（ａ）及び図２８（ｂ）に示すように、第１変形例に係るリードフレームは、第１のインナリード３０２及び第２のインナリード３０３のそれぞれに、各ボンディングパッド３０２ａ、３０３ａの外側の端部がダイパッド３０１における互いに対向する側面（インナリードの長手方向に平行な側面）に沿い且つ間隔をおいて延びる第１の延長部３０２ｂ及び第２の延長部３０３ｂが設けられている。
【０２２２】
第１の延長部３０２ｂ及び第２の延長部３０３ｂは、高周波的な分布定数素子の先端開放型のスタブ（オープンスタブ）として機能し、トランジスタのインピーダンスを５０Ω整合するために有効である。
【０２２３】
第１の実施形態で説明したように、接地面に対する並列容量成分が増えると、この並列容量成分は、プリマッチング機能により５０Ω整合に寄与する。
【０２２４】
また、第２の実施形態で説明したように、並列容量成分の周波数依存性は、分布定数素子のオープンスタブの周波数依存性とほぼ同等である。但し、オープンスタブのスタブ長は、所望の周波数の電気長として波長の４分の１以下である。従って、半導体装置を伝送する高周波信号の周波数によってオープンスタブの長さが変わるため、第１の延長部３０２ｂ及び第２の延長部３０３ｂの最適な長さは、周波数に応じて変わることになる。
【０２２５】
このため、実際には、各延長部３０２ｂ、３０３ｂにおける吊りリード３０４と反対側の端部の位置は、ダイパッド３０１における吊りリード３０４と反対側の端面から、各ボンディングパッド３０２ａ、３０３ａとの接続位置までの間で、その長さが適当な値に調整される。なお、第１の延長部３０２ｂの長さと第２の延長部３０３ｂの長さとは互いに異なっていてもよい。
【０２２６】
各ボンディングパッド３０２ａ、３０３ａの下側部分を含め、延長部３０２ｂ、３０３ｂの下側部分にも、誘電体材料である封止樹脂材が充填される。従って、封止樹脂材から露出するダイパッド３０１の裏面がシステム又はセット内の高周波回路部におけるボード上の接地用パッドに半田付け等により電気的に接続されると、各延長部３０２ｂ、３０３ｂの下側に充填された封止樹脂材が接地容量成分、すなわち並列容量成分となる。この並列容量成分はプリマッチング機能として働くため、パッケージのリード端のインピーダンスとして５０Ωに近いインピーダンスを実現できる。このため、本半導体装置（パッケージ）をシステム又はセット内の高周波回路部におけるボード上に実装する際に、５０Ω整合を取るため外付けのチップ容量素子、抵抗素子及びインダクタの部品点数を減らすことができると共に、広い周波数帯域のインピーダンス整合に対応することができる。
【０２２７】
（第４の実施形態の第２変形例）
以下、本発明の第４の実施形態の第２変形例に係る半導体装置について図２９を参照しながら説明する。
【０２２８】
図２９（ａ）及び図２９（ｂ）に示すように、第２変形例に係るリードフレームは、先端開放型のスタブ（オープンスタブ）を、各ボンディングパッド３０２ａ、３０３ａと一体に形成するのではなく、各ボンディングパッド３０２ａ、３０３ａとは別体の第３のインナーリード３２１及び第４のインナーリード３２２として形成している。
【０２２９】
具体的には、第３のインナーリード３２１は、第１インナリード３０２の外側で、且つダイパッド３０１の側面に平行に延びる第１の延長部３２１ａを有している。また、第４のインナーリード３２２は、第２インナリード３０３の外側で、且つダイパッド３０１の側面に平行に延びる第２の延長部３２２ａを有している。
【０２３０】
第３のインナリード３２１の第１の延長部３２１ａを高周波的な分布定数素子の先端開放型のスタブとして機能させるために、第３のインナリード３２１は、第３のワイヤ３２３によって第１のボンディングパッド３０２ａと電気的に接続されている。同様に、第４のインナリード３２２は、第４のワイヤ３２４によって第２のボンディングパッド３０３ａと電気的に接続されている。
【０２３１】
なお、本パッケージをシステム又はセット内の高周波回路部におけるボード上に実装する際には、第３のインナリード３２１及び第４のインナリード３２２のアウタリード側は、非接続（ＮＣ：Non-Connectin）であってもよい。また、チップ容量素子等を電気的に接続しておけば、上述したプリマッチング機能を果たす。
【０２３２】
（第４の実施形態の第３変形例）
以下、本発明の第４の実施形態の第３変形例に係る半導体装置について図３０を参照しながら説明する。
【０２３３】
図３０（ａ）及び図３０（ｂ）に示すように、第３変形例に係るリードフレームは、第１のボンディングパッド３０２ａの第１の延長部３０２ｂの端部及び第２のボンディングパッド３０３ａの第２の延長部３０３ｂの端部が、それぞれ第３のワイヤ３２３及び第２のワイヤ３２４によってダイパッド３０１と電気的に接続されている。
【０２３４】
パッケージとして、封止樹脂材から露出するダイパッド３０１を、システム又はセット内の高周波回路部におけるボード上の接地用パッドに半田付け等により電気的に接続すると、第１の延長部３０２ｂ及び第２の延長部３０３ｂは共に接地電位となる。これにより第１の延長部３０２ｂ及び第２の延長部３０３ｂは、高周波的な分布定数素子の先端短絡型のスタブ（ショートスタブ）として機能することになる。
この動作原理と具体的な構成は、第３の実施形態に示したとおりである。
【０２３５】
なお、各ワイヤ３２３、３２４は  各延長部３０２ｂ、３０３ｂの任意の位置でよく、また複数の箇所に設けても、同様の効果を得ることができる。
【０２３６】
（第４の実施形態の第４変形例）
以下、本発明の第４の実施形態の第４変形例に係る半導体装置について図３１を参照しながら説明する。
【０２３７】
図３１（ａ）及び図３１（ｂ）に示すように、第４変形例に係るリードフレームは、第２変形例に係るリードフレームに先端短絡型のスタブ（ショートスタブ）として機能させる構成である。
【０２３８】
具体的には、第１のボンディングパッド３０２ａの第１の延長部３０２ｂの端部及び第２のボンディングパッド３０３ａの第２の延長部３０３ｂの端部とダイパッド３０１とを、それぞれ第５のワイヤ３２５及び第６のワイヤ３２６によって電気的に接続している。
【０２３９】
パッケージとして、封止樹脂材から露出するダイパッド３０１を、システム又はセット内の高周波回路部におけるボード上の接地用パッドに半田付け等により電気的に接続すると、第１の延長部３０２ｂ及び第２の延長部３０３ｂは共に接地電位となる。これにより第１の延長部３０２ｂ及び第２の延長部３０３ｂは、高周波的な分布定数素子の先端短絡型のスタブ（ショートスタブ）として機能する。
【０２４０】
この動作原理と具体的な構成は、第３の実施形態に示したとおりである。
【０２４１】
なお、第５のワイヤ３２５及び第６のワイヤ３２６は  各延長部３０２ｂ、３０３ｂの任意の位置でよく、また複数の箇所に設けても、同様の効果を得ることができる。
【０２４２】
また、第１の実施形態の第５変形例のように、リードフレーム全体を厚さが０．４ｍｍ〜０．５ｍｍ程度の均一な薄板部材により構成する場合でも、図２６、図２８、図２９、図３０及び図３１の各形態を適用可能である。
【０２４３】
なお、上記の第１〜第４の実施形態においては、ＦＥＴのソース接地について説明したが、半導体装置を有する回路によってはＦＥＴのドレイン接地の場合であっても、また、ゲート接地の場合であっても、本発明は適用可能である。
【０２４４】
また、半導体チップ３１０としてバイポーラトランジスタを用い、ベース接地をする場合においても適用可能であり、また、エミッタ接地又はコレクタ接地の場合においても、本発明は適用可能である。
【０２４５】
すなわち、半導体装置を有する回路の接地方式に応じて半導体チップの各端子の配置を決めればよく、その端子の配置に応じて本発明は適用可能である。
【産業上の利用可能性】
【０２４６】
本発明に係る半導体装置は、高出力化及び高利得動作が可能なマイクロ波帯及びミリ波帯の電力増幅器を有する半導体装置を実現でき、特にマイクロ波帯で用いられる樹脂封止パッケージ用リードフレームを用いた半導体装置等に有用である。
【符号の説明】
【０２４７】
３０１    ダイパッド
３０１ａ  切り欠き部
３０１ｂ  切り欠き部
３０１ｃ  突き出し部
３０１Ａ  金属板
３０２    第１のインナリード
３０２ａ  第１のボンディングパッド
３０２ｂ  第１の延長部
３０２ｃ  第１の接続部
３０２ｄ  第１の張り出し部
３０２ｅ  第１の突起部
３０２ｆ  第１の接地型張り出し部
３０３    第２のインナリード
３０３ａ  第２のボンディングパッド
３０３ｂ  第２の延長部
３０３ｃ  第２の接続部
３０３ｄ  第２の張り出し部
３０３ｅ  第２の突起部
３０３ｆ  第２の接地型張り出し部
３０４    吊りリード
３０４ａ  第１の曲げ加工部
３０４ｂ  第２の曲げ加工部
３０５    曲げ加工部
３１０    半導体チップ
３１１    第１のワイヤ
３１２    第２のワイヤ
３１３    樹脂封止領域
３２１    第３のインナリード
３２１ａ  第１の延長部
３２２    第４のインナリード
３２２ａ  第２の延長部
３２３    第３のワイヤ
３２４    第４のワイヤ
３２５    第５のワイヤ
３２６    第６のワイヤ
３３０    空隙
４０１    真性領域
４０２    ワイヤボンディング用ゲートパッド
４０３    ワイヤボンディング用ソースパッド
４０４    ワイヤボンディング用ドレインパッド
４０５    容量素子部
【図１】
2012120568.tif 000003
【図２】
2012120568.tif 000004
【図３】
2012120568.tif 000005
【図４】
2012120568.tif 000006
【図５】
2012120568.tif 000007
【図６】
2012120568.tif 000008
【図７】
2012120568.tif 000009
【図８】
2012120568.tif 000010
【図９】
2012120568.tif 000011
【図１０】
2012120568.tif 000012
【図１１】
2012120568.tif 000013
【図１２】
2012120568.tif 000014
【図１３】
2012120568.tif 000015
【図１４】
2012120568.tif 000016
【図１５】
2012120568.tif 000017
【図１６】
2012120568.tif 000018
【図１７】
2012120568.tif 000019
【図１８】
2012120568.tif 000020
【図１９】
2012120568.tif 000021
【図２０】
2012120568.tif 000022
【図２１】
2012120568.tif 000023
【図２２】
2012120568.tif 000024
【図２３】
2012120568.tif 000025
【図２４】
2012120568.tif 000026
【図２５】
2012120568.tif 000027
【図２６】
2012120568.tif 000028
【図２７】
2012120568.tif 000029
【図２８】
2012120568.tif 000030
【図２９】
2012120568.tif 000031
【図３０】
2012120568.tif 000032
【図３１】
2012120568.tif 000033
【図３２】
2012120568.tif 000034
【図３３】
2012120568.tif 000035
【図３４】
2012120568.tif 000036
【図３５】
2012120568.tif 000037
【手続補正書】
【提出日】平成25年8月9日(2013.8.9)
【手続補正１】
【補正対象書類名】明細書
【補正対象項目名】００６６
【補正方法】変更
【補正の内容】
【００６６】
半導体チップ３１０のダイパッド３０１上におけるダイボンド位置は、ワイヤ３１１、３１２の長さを短くしたい場合、又は複数本のワイヤの長さを同等にしたい場合に対応して任意の位置でよい。但し、いずれの場合も、ダイボンド位置は、半導体チップ３１０の中心位置がダイパッド３０１の中心位置よりも突き出し部３０１ｃ側に位置するようにする。さらには、半導体チップ３１０の少なくとも一部が、突き出し部３０１ｃの上に位置するようにする。なお、ダイパッド３０１の中心位置とは、２つの切り欠き部３０１ａ、３０１ｂ及び突き出し部３０１ｃを含めたダイパッド３０１全体における中心位置という意味である。
【手続補正２】
【補正対象書類名】特許請求の範囲
【補正対象項目名】全文
【補正方法】変更
【補正の内容】
【特許請求の範囲】
【請求項１】
金属からなり、周縁部に少なくとも１つの切り欠き部と、該切り欠き部によって周縁部から側方に突き出す突き出し部とを有するダイパッドと、
端部にボンディングパッドを有し、該ボンディングパッドが前記ダイパッドと間隔をおいて前記切り欠き部に配置された第１のインナリードと、
前記ダイパッドの上に、中心位置が前記ダイパッドの中心位置よりも前記突き出し部側に位置するように保持された半導体チップと、
前記半導体チップと前記ボンディングパッドとを電気的に接続するワイヤとを備え、
前記ボンディングパッドは、前記ダイパッドの側面に沿い且つ間隔をおいて延びる延長部を有している半導体装置。
【請求項２】
請求項１において、
前記延長部は、前記ダイパッドの側面の一部と電気的に接続されている半導体装置。
【請求項３】
請求項１において、
前記ダイパッドは、接地電位が印加され、
前記延長部と前記ダイパッドの側面とによって容量素子部が形成されている半導体装置。
【請求項４】
請求項１において、
前記延長部は、前記ダイパッドとワイヤによって電気的に接続されている半導体装置。
【請求項５】
請求項１において、
前記半導体チップ、ダイパッド及び第１のインナリードを封止する封止樹脂材をさらに備え、
前記ダイパッドにおける前記半導体チップの保持面と反対側の面の少なくとも一部は、前記封止樹脂材から露出しており、
前記延長部は、前記封止樹脂材から露出するように形成された突起部を有している半導体装置。
【請求項６】
金属からなり、周縁部に少なくとも１つの切り欠き部と、該切り欠き部によって周縁部から側方に突き出す突き出し部とを有するダイパッドと、
端部にボンディングパッドを有し、該ボンディングパッドが前記ダイパッドと間隔をおいて前記切り欠き部に配置された第１のインナリードと、
前記ダイパッドの上に、中心位置が前記ダイパッドの中心位置よりも前記突き出し部側に位置するように保持された半導体チップと、
前記半導体チップと前記ボンディングパッドとを電気的に接続するワイヤとを備え、
前記第１のリードと並行して配置され、前記ダイパッドの側面と間隔をおいて延びる第２のリードをさらに備え、
前記第２のリードは、前記ボンディングパッドとワイヤによって電気的に接続されている半導体装置。
【請求項７】
請求項６において、
前記半導体チップ、ダイパッド、第１のインナリード及び第２のリードを封止する封止樹脂材をさらに備え、
前記ダイパッドにおける前記半導体チップの保持面と反対側の面の少なくとも一部は、前記封止樹脂材から露出しており、
前記第２のリードは、前記封止樹脂材から露出するように形成された突起部を有している半導体装置。
【請求項８】
請求項１〜７のいずれか１項において、
前記ダイパッドの上面と前記ボンディングパッドの上面とは、前記ダイパッドの下面からの高さが同一であり、
前記ダイパッドの厚さは、前記インナリードの厚さよりも厚い半導体装置。
【請求項９】
請求項１〜７のいずれか１項において、
前記ボンディングパッドの上面は、前記ダイパッドの上面よりも高く、
前記ダイパッドの厚さは、前記インナリードの厚さと同等である半導体装置。
【請求項１０】
請求項１〜９のいずれか１項において、
前記切り欠き部の平面形状は、四角形の二辺、三角形の一辺、凹状の円弧、又は凸状の円弧である半導体装置。
【請求項１１】
金属からなるダイパッドと、
端部にボンディングパッドを有し、該ボンディングパッドが前記ダイパッドの上方に間隔をおいて前記ダイパッドの一部と重なるように配置された第１のインナリードと、
前記ダイパッドの上に、中心位置が前記ダイパッドの中心位置よりも前記ボンディングパッド側に位置するように保持された半導体チップと、
前記半導体チップと前記ボンディングパッドとを電気的に接続するワイヤとを備えている半導体装置。
【請求項１２】
請求項１１において、
前記ボンディングパッドは、前記ダイパッドの側面に沿い且つ間隔をおいて延びる延長部を有している半導体装置。
【請求項１３】
請求項１２において、
前記延長部は、前記ダイパッドとワイヤによって電気的に接続されている半導体装置。
【請求項１４】
請求項１１において、
前記第１のリードと並行して配置され、前記ダイパッドの側面と間隔をおいて延びる第２のリードをさらに備え、
前記第２のリードは、前記ボンディングパッドとワイヤによって電気的に接続されている半導体装置。
【請求項１５】
請求項１４において、
前記第２のリードは、前記ダイパッドとワイヤによって電気的に接続されている半導体装置。
【国際調査報告】
2012120568.tif 000038
2012120568.tif 000039
2012120568.tif 000040
2012120568.tif 000041